(57)【要約】  透明層の表面上に形成された第１の光学的可変効果を生成するレリーフ構造を有する透明層と、第１のレリーフ構造にわたって伸びかつ反射増強体の第１の側上に第１のレリーフの輪郭に従う反射増強体と、反射増強体の第２の側中に形成された第２の光学的可変効果を生成するレリーフ構造とを含むセキュリティーデバイスが提供される。この反射増強体は、反射増強体の第１の側および／または第２の側を画定する少なくとも第１の反射増強層を含み、そしてバインダー中に分散した反射粒子を有するバインダーを第１の反射増強層は含む。透明層を通してデバイスを見た場合、第１のレリーフ構造の光学的可変効果が見え、そして反対側からデバイスを見た場合に、第２のレリーフ構造の光学的可変効果が見える。
2016510431.tif 000002
【特許請求の範囲】
【請求項１】
透明層の表面上に形成された第１の光学的可変効果を生成するレリーフ構造を有する透明層と、
該第１のレリーフ構造にわたって伸びかつ反射増強体の第１の側上の該第１のレリーフの輪郭に沿った反射増強体と、
該反射増強体の第２の側中に形成された第２の光学的可変効果を生成するレリーフ構造と、
を含むセキュリティーデバイスであって、
該反射増強体が、該反射増強体の第１の側および／または第２の側を画定する少なくとも第１の反射増強層を含み、
バインダー中に分散した反射粒子を有するバインダーを該第１の反射増強層が含み、
ここで該デバイスが該透明層を通して見られる場合、該第１のレリーフ構造の該光学的可変効果が見え、そして、
該デバイスが反対側から見られる場合、該第２のレリーフ構造の該光学的可変効果が見える、セキュリティーデバイス。
【請求項２】
該第１のレリーフ構造および第２のレリーフ構造が相互に干渉しないように該反射増強体の厚さが充分である、請求項１に記載のセキュリティーデバイス。
【請求項３】
該反射増強体が、該第１のレリーフ構造および第２のレリーフ構造のそれぞれの最大プロファイル深さより大きい、好ましくは該第１のレリーフ構造および第２のレリーフ構造の最大プロファイル深さの合計以上、の厚さを有する、請求項１または請求項２に記載のセキュリティーデバイス。
【請求項４】
該反射増強体の横方向の大きさが、該セキュリティーデバイスの全領域より小さい、請求項１〜３のいずれか一項に記載のセキュリティーデバイス。
【請求項５】
該第１の反射増強層が、該反射増強体の該第１の側と第２の側との１つを画定し、そして該反射増強体が、該第１の側と第２の側とのもう一方を画定する第２の反射増強層をさらに含む、請求項１〜４のいずれか一項に記載のセキュリティーデバイス。
【請求項６】
該第２の反射増強層が、該反射増強体の該第１の側を画定し、そして該第１の反射増強層が、該反射増強体の該第２の側を画定する、請求項５に記載のセキュリティーデバイス。
【請求項７】
該第１の反射増強層の横方向の大きさが、該第２の反射増強層の横方向の大きさに相当する、請求項５または６に記載のセキュリティーデバイス。
【請求項８】
該第２の反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または、
液晶層、
のいずれかを含む、請求項５〜７のいずれか一項に記載のセキュリティーデバイス。
【請求項９】
該反射増強体の横方向の大きさが、堅牢なまたは装飾的な、形またはパターン、好ましくは細線パターン、または情報の項目、好ましくは数、文字、英数字テキスト、記号または図を規定する、請求項１〜８のいずれか一項に記載のセキュリティーデバイス。
【請求項１０】
該反射増強体が、見かけ上不連続な少なくとも２つの横方向のオフセット領域を含む、請求項１〜９のいずれか一項に記載のセキュリティーデバイス。
【請求項１１】
該反射増強体が、不連続な要素からなる遮蔽機能を含む、請求項１〜１０のいずれか一項に記載のセキュリティーデバイス。
【請求項１２】
該第１の反射増強層が、該デバイスから該第２の反射増強層の材料を除去するのに好適なエッチング液に耐性を示すレジスト材料を含む、少なくとも請求項５に記載のセキュリティーデバイス。
【請求項１３】
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、請求項１〜１２のいずれか一項に記載のセキュリティーデバイス。
【請求項１４】
該第１の反射増強層が、該透明層の形成温度より低い形成温度を有する材料を含む、請求項１〜１３のいずれか一項に記載のセキュリティーデバイス。
【請求項１５】
該第１の反射増強層が、光活性硬化剤、好ましくはＵＶ硬化剤を含む、請求項１〜１４のいずれか一項に記載のセキュリティーデバイス。
【請求項１６】
該第１の反射増強層が、光学的に有効な物質、可視または非可視波長の照明下で可視の物質、好ましくは該第１の反射増強層に着色した色合いを与えるのに有効な物質を含む、請求項１〜１５のいずれか一項に記載のセキュリティーデバイス。
【請求項１７】
バインダー中に分散した反射粒子を有するバインダーをそれぞれ含む２種または３種以上の材料を該第１の反射増強層が含み、該２種または３種以上の材料が、相互に光学的に区別できかつパターンを画定するように並べられている、請求項１〜１６のいずれか一項に記載のセキュリティーデバイス。
【請求項１８】
該第１のレリーフ構造の該光学的可変効果が該第２のレリーフ構造の該光学的可変効果と異なる色を示すように、該第１の反射増強層の可視色が、少なくとも選択された波長の照明下において該第２の反射増強層の可視色と異なる、少なくとも請求項５に記載のセキュリティーデバイス。
【請求項１９】
該第１の光学的可変効果と第２の光学的可変効果とが異なるように、該第１の光学的可変効果を生成するレリーフ構造が、該第２の光学的可変効果を生成するレリーフ構造と異なる、請求項１〜１８のいずれか一項に記載のセキュリティーデバイス。
【請求項２０】
該第１の光学的可変効果を生成するレリーフ構造が第１の視点からのオブジェクトの画像を示すように構成され、そして該第２の光学的可変効果を生成するレリーフ構造が第２の視点、好ましくは該第１の視点から１８０度からの同じオブジェクトの画像を示すように構成されている、請求項１９に記載のセキュリティーデバイス。
【請求項２１】
該第１の光学的可変効果および第２の光学的可変効果を生成するレリーフ構造が、相互に一致している、請求項１〜２０のいずれか一項に記載のセキュリティーデバイス。
【請求項２２】
該第１の光学的可変効果を生成するレリーフ構造および第２の光学的可変効果を生成するレリーフ構造が、それぞれ、ホログラム、回折格子、またはＫｉｎｅｇｒａｍ（商標）などの回折構造、またはプリズム構造などの非回折マイクロ光学構造のいずれかを含む、請求項１〜２１のいずれか一項に記載のセキュリティーデバイス。
【請求項２３】
該第１の透明層が、熱可塑性ポリマー、好ましくは硬化剤を有する熱可塑性ポリマー、または硬化性ポリマー、好ましくはＵＶ硬化性ポリマーを含む、請求項１〜２２のいずれか一項に記載のセキュリティーデバイス。
【請求項２４】
該第１の透明層が、基材、好ましくはセキュリティー証書基材またはセキュリティー物品基材の一体部分を形成する、請求項１〜２３のいずれか一項に記載のセキュリティーデバイス。
【請求項２５】
該第１の透明層が、基材、好ましくはセキュリティー証書基材またはセキュリティー物品基材上に配置されている、請求項１〜２３のいずれか一項に記載のセキュリティーデバイス。
【請求項２６】
１つまたは２つ以上の透明接着剤層をさらに含む、請求項１〜２５のいずれか一項に記載のセキュリティーデバイス。
【請求項２７】
請求項１〜２６のいずれか一項に記載のセキュリティーデバイスを含むセキュリティー物品であって、好ましくは転写バンドまたは転写シート、セキュリティースレッド、箔、パッチ、ラベルまたはストリップを含む、セキュリティー物品。
【請求項２８】
請求項１〜２６のいずれか一項に記載のセキュリティーデバイスまたは請求項２７に記載のセキュリティー物品を含むセキュリティー証書であって、好ましくは紙幣、小切手、ＩＤ証書、証明書、株券、ビザ、パスポート、運転免許証、銀行カード、またはＩＤカードを含む、セキュリティー証書。
【請求項２９】
透明層を通してデバイスを見た場合に、第１のレリーフ構造の光学的可変効果が見え、そして反対側から該デバイスを見た場合に、第２のレリーフ構造の光学的可変効果が見えるように、
透明層の表面中に第１の光学的可変効果を生成するレリーフ構造を形成することと、
該反射増強体の第１の側が該第１のレリーフの輪郭に従うように、該第１のレリーフ構造の上に反射増強体を適用することと、
該反射増強体の該第２の側中に第２の光学的可変効果を生成するレリーフ構造を形成することと、
を含み、
該反射増強体が、該反射増強体の第１の側および／または第２の側を画定する少なくとも第１の反射増強層を含み、
バインダー中に分散した反射粒子を有するバインダーを該第１の反射増強層が含む、
セキュリティーデバイスの製造方法。
【請求項３０】
該第１のレリーフ構造と第２のレリーフ構造とが相互に干渉しないように該反射増強体の厚さが充分である、請求項２９に記載の方法。
【請求項３１】
該反射増強体が該第１のレリーフ構造および第２のレリーフ構造のそれぞれの最大プロファイル深さより大きい厚さを有し、好ましくは該第１のレリーフ構造および第２のレリーフ構造の最大プロファイル深さの合計以上である、請求項２９または請求項３０に記載の方法。
【請求項３２】
該反射増強体が該セキュリティーデバイスの全領域未満にわたって適用されている、請求項２９〜３１のいずれか一項に記載の方法。
【請求項３３】
該第１の反射増強層が該反射増強体の第１の側と第２の側との１つを画定し、そして該第２の反射増強層が、該第１の側と第２の側とのもう一方を画定するように、該反射増強体を適用することが、該第１の反射増強層を適用する前または後に、該第１のレリーフ構造にわたって第２の反射増強層を適用することを含む、請求項２９〜３２のいずれか一項に記載の方法。
【請求項３４】
該第１の反射増強層が、該反射増強体の該第２の側を画定し、そして該第２の反射増強層が、該第１の側を画定するように、該反射増強体を適用することが、該第１の反射増強層を適用する前に、該第１のレリーフ構造にわたって該第２の反射増強層を適用することを含む、請求項３３に記載の方法。
【請求項３５】
該第２の反射増強層が、
１種または２種以上の金属またはそれらの合金、好ましくは銅および／またはアルミニウム、
光学干渉薄膜構造、
金属性粒子、光学的に変化できる粒子、または光学的に変化できる磁性粒子を含む層、
フォトニック結晶層、または
液晶層
のいずれかを含む、請求項３３または３４に記載の方法。
【請求項３６】
該第２の反射増強層が、真空蒸着または化学気相堆積によって適用される、請求項３３〜３５のいずれか一項に記載の方法。
【請求項３７】
該第１の反射増強層が、印刷、好ましくはグラビア印刷、フレキソ印刷またはスロットダイ印刷によって適用される、請求項２９〜３６のいずれか一項に記載の方法。
【請求項３８】
その横方向の大きさが、堅牢なまたは装飾的な、形またはパターン、好ましくは細線パターン、または情報の項目、好ましくは数、文字、英数字テキスト、記号または図を規定するように、該第１の反射増強層が適用される、請求項２９〜３７のいずれか一項に記載の方法。
【請求項３９】
該第１の反射増強層が、見かけ上不連続な少なくとも２つの横方向のオフセット領域を含むように適用される、請求項２９〜３８のいずれか一項に記載の方法。
【請求項４０】
該第１の反射増強層が、不連続な要素からなる遮蔽機能として適用される、請求項２９〜３９のいずれか一項に記載の方法。
【請求項４１】
該第１の反射増強層および第２の反射増強層の横方向の大きさが相当するように、該第１の反射増強層を適用後に、該第２の反射増強層が該第１の反射増強層によって被覆されていない該デバイスの領域から該第２の反射増強層の材料を除去することをさらに含む、少なくとも請求項３３に記載の方法。
【請求項４２】
該第２の反射増強層の材料がエッチングによって除去され、該第１の反射増強層がエッチングレジストとして作用する、請求項４１に記載の方法。
【請求項４３】
ポリマーバインダー中に分散した反射粒子、好ましくは反射インク、最も好ましくは熱可塑性反射インクを有するポリマーバインダーを該第１の反射増強層が含み、該反射粒子が、好ましくは金属性粒子、光学的に変化できる粒子、または光学的に変化できる磁性粒子を含む、請求項２９〜４２のいずれか一項に記載の方法。
【請求項４４】
該第１の反射増強層が、該透明層の形成温度より低い形成温度を有する材料を含む、請求項２９〜４３のいずれか一項に記載の方法。
【請求項４５】
該第１の反射増強層が、光活性硬化剤、好ましくはＵＶ硬化剤を含み、該方法が、該第２の光学的に変化できるレリーフ構造を形成する前に、該第１の反射増強層を部分的に硬化させること、そして／または該第２の光学的に変化できるレリーフ構造を形成した後で該第１の反射増強層を充分に硬化させることをさらに含む、請求項２９〜４４のいずれか一項に記載の方法。
【請求項４６】
該第１の反射増強層が、光学的に有効な物質、可視または非可視波長の照明下で見える物質、好ましくは該第１の反射増強層に着色した色合いを与えるのに有効な物質を含む、請求項２９〜４５のいずれか一項に記載の方法。
【請求項４７】
該第１の反射増強層を適用することが、２種または３種以上の材料を適用することを含み、バインダー中に分散した反射粒子を有するバインダーをそれぞれの材料が含み、該２種または３種以上の材料が、相互に光学的に区別できかつパターンを画定するように並べられている、請求項２９〜４６のいずれか一項に記載の方法。
【請求項４８】
該第１のレリーフ構造の該光学的可変効果が該第２のレリーフ構造の該光学的可変効果と異なる色を示すように、該第１の反射増強層の可視色が、少なくとも選択された波長の照明下において該第２の反射増強層の可視色と異なる、少なくとも請求項３３に記載の方法。
【請求項４９】
該第１の光学的可変効果と第２の光学的可変効果とが異なるように、該第１の光学的可変効果を生成するレリーフ構造が該第２の光学的可変効果を生成するレリーフ構造と異なる、請求項２９〜４８のいずれか一項に記載の方法。
【請求項５０】
該第１の光学的可変効果を生成するレリーフ構造および第２の光学的可変効果を生成するレリーフ構造が、それぞれ、ホログラム、回折格子またはＫｉｎｅｇｒａｍ（商標）などの回折構造、またはプリズム構造などの非回折マイクロ光学構造のいずれかを含む、請求項２９〜４９のいずれか一項に記載の方法。
【請求項５１】
該第１の光学的可変効果を生成するレリーフ構造および第２の光学的可変効果を生成するレリーフ構造が相互に一致して形成される、請求項２９〜５０のいずれか一項に記載の方法。
【請求項５２】
該第１の光学的可変効果を生成するレリーフ構造および第２の光学的可変効果を生成するレリーフ構造が、それぞれ、エンボス加工またはキャスティング硬化により形成される、請求項２９〜５１のいずれか一項に記載の方法。
【請求項５３】
該第１の透明層が、熱可塑性ポリマー、好ましくは硬化剤を有する熱可塑性ポリマー、または硬化性ポリマー、好ましくはＵＶ硬化性ポリマーを含む、請求項２９〜５２のいずれか一項に記載の方法。
【請求項５４】
該第２の光学的可変効果を生成するレリーフ構造が形成される前に、該第１の透明層を硬化させることをさらに含む、請求項５３に記載の方法。
【請求項５５】
該透明層が、基材、好ましくはセキュリティー証書基材またはセキュリティー物品基材の一体部分を形成する、請求項２９〜５４のいずれか一項に記載の方法。
【請求項５６】
該第１の透明層が、基材、好ましくはセキュリティー証書基材またはセキュリティー物品基材上に配置されている、請求項２９〜５５のいずれか一項に記載の方法。
【請求項５７】
１つまたは２つ以上の透明接着剤層を適用することをさらに含む、請求項のいずれか一項２８〜５６に記載の方法。
【請求項５８】
請求項２９〜５７のいずれか一項により製造された、セキュリティーデバイス。
【発明の詳細な説明】
【技術分野】
【０００１】
本発明は、価値のあるオブジェクト、特にセキュリティー証書の真贋を確立するのに好適なセキュリティーデバイス、およびそれらの製造方法に関する。特に、本発明は、光学的可変効果を生成するホログラムおよび回折格子などのレリーフ構造を取り込んだセキュリティーデバイスに関する。
【背景技術】
【０００２】
ホログラムおよび回折格子などの光学的可変効果（ｏｐｔｉｃａｌｌｙ  ｖａｒｉａｂｌｅ  ｅｆｆｅｃｔ）を生成するレリーフ構造は、価値のある証書、例えば紙幣、クレジットカード、パスポートおよびその同類のものにセキュリティーを与えるのに過去２〜３年にかけて広く使用されてきた。通常、構造は転写箔上に提供され、そして次に転写箔から最終の証書基材にホットスタンプされる。このアプローチの初期の例が、米国特許第４７２８３７７号明細書に記載されている。
【０００３】
最近になって、そうした構造が、証書を通して見られる光学的可変効果を可能にする、証書基材中に形成された透明な窓の特徴と組み合わせにおいて使用されてきた。この窓は、証書基材の１つまたは２つ以上の層を通した開口の形態を取ることができ、または証書基材の光学的に透明な領域を含むことができる。証書中に開口として形成された窓領域中に位置する光学的可変効果を生成するレリーフ構造の例は、カナダ国登録特許第２１６３５２８号明細書中に記載されている。証書（ここでは、ポリマー紙幣）の透明な領域として形成された窓領域中に位置する光学的可変効果を生成するレリーフ構造の例は、国際公開第２００８/０３１１７０号パンフレット中に記載されている。
【０００４】
窓中にセキュリティーデバイスを置くことは、デバイスを証書の両側から見ることができる利点を有する。したがって、偽造の困難性を高めるために、確かな視覚効果がセキュリティーデバイスの両側によって示されることが望ましい。両側がセキュリティー効果を示すデバイスの例は、カナダ国登録特許第２１６３５２８号明細書、米国特許出願公開第２００５/０１０４３６４号明細書、米国特許出願公開第２００７/０１１４７８７号明細書、カナダ国公開特許第２７１７７７５号明細書およびカナダ国公開特許第２６１１１９５号明細書中に開示されている。
【発明の概要】
【発明が解決しようとする課題】
【０００５】
しかし、生じうる偽造者より進んでいるために、そうしたデバイスのセキュリティーレベルを向上させることへこれまで存在するニーズがある。
【課題を解決するための手段】
【０００６】
本発明により、セキュリティーデバイスは、透明層の表面上に形成された第１の光学的可変効果を生成するレリーフ構造を有する透明層と、第１のレリーフ構造にわたって伸びかつ反射増強体の第１の側上に第１のレリーフの輪郭に従う反射増強体と、反射増強体の第２の側中に形成された第２の光学的可変効果を生成するレリーフ構造とを含み、この反射増強体は、反射増強体の第１の側および／または第２の側を画定する少なくとも第１の反射増強層を含み、バインダー中に分散した反射粒子を有するバインダーをこの第１の反射増強層は含んで提供され、透明層を通してデバイスを見た場合に、第１のレリーフ構造の光学的可変効果が見え、そしておよび反対側から見た場合に、第２のレリーフ構造の光学的可変効果が見える。
【０００７】
さらに下記に記載するように、そうした設定は２つの異なるレリーフ構造の使用を可能にし、それ故に異なる光学効果がデバイスのそれぞれの側によって示される。これは、反射増強体の第１の側のみが第１のレリーフ構造に従い、そして第２の（好ましくは異なる）レリーフ構造がもう一方の側中に形成されるためである。この結果を達成する従来技術は、２つの逐次金属被覆：第１のレリーフ構造を見えるようにする反射層を提供するための第１の金属堆積、およびその後に形成される第２のレリーフ構造を見えるようにする第２の反射層を提供する第２の金属堆積の使用を含む。しかし、２つの金属被覆へのニーズは、複雑かつ遅い製造プロセスとなり、そして高度の正確性で相互に金属被膜を一致させる（ｒｅｇｉｓｔｅｒ）のは極度に難しい。
【０００８】
反射バインダー/粒子層がレリーフ構造の少なくとも１つを見えるようにするのに必要な反射特性を提供するので、反射増強体の片側または両側を提供するのに、反射粒子の分散体（例えば、金属性薄片、光学的に変化できる粒子、または光学的に変化できる磁性粒子）を有するバインダーを含む反射増強層を使用することによって、セキュリティーデバイスは２つの金属被覆へのニーズを回避する。したがってこの製造プロセスは、大幅に単純化される。さらに、そうした材料を高度に制御された様式で置けるので、例えば、印刷技術を使用して、レリーフ構造と、および全体としてデバイスと、の高度に正確な一致を達成できる。例えば、反射増強体が第１の反射増強層からのみなる場合、いずれも反射増強層の領域中のみにおいて可視であろうので、第１のレリーフ構造によって生成される光学的可変効果領域と、第２のレリーフ構造によって生成される光学的可変効果領域との正確な一致が自動的に達成されるであろう。通常、この「反射増強体」は、１つまたは両方のレリーフ構造の光学的可変効果が本体の反射特性によって可視となる、２つのレリーフ構造間のデバイスの部分である。
【０００９】
下記に記載するように、第２の光学的可変効果を生成するレリーフ構造は、第１のレリーフ構造にわたって一旦適用されると、（任意選択的に介在する層を通して）第１の反射増強層をエンボス加工またはそうでなければ形成することによって最も有利に提供される。これを可能にするために、第１の反射増強層は、好ましくは少なくとも硬化前に形成可能である材料を含む。反射増強体のいずれかの側上に２つのレリーフ構造を提供するための他の技術が可能である。所望の場合２つのレリーフ構造が相互に異なりかつもう一方による加工物なしで異なる効果を示すことができるように、反射増強体の厚さは、好ましくは第１のレリーフ構造および第２のレリーフ構造が相互に干渉しないのに充分であるべきである。これにおいて助けとするために、好ましい態様において、反射増強体は、第１のレリーフ構造および第２のレリーフ構造のそれぞれのプロファイル深さより大きい（デバイスの平面に垂直な方向における）厚さを有する。最も好ましくは、反射増強体の厚さは、第１のレリーフ構造および第２のレリーフ構造の最大のプロファイル深さ（すなわち、それらの最大の「大きさ」）の合計以上である。例えば、ホログラムなどの典型的な回折レリーフ構造は、約５０〜約５００ｎｍ、さらに多くの場合約８０〜約１５０ｎｍの最大のプロファイル深さを有することができる。対照的に、反射増強体は、好ましくは少なくとも０.３μｍ、およびさらに典型的には少なくとも１μｍの厚さを有するであろう。
【００１０】
特に好ましい実施形態において、反射増強体の横方向の大きさ（ｌａｔｅｒａｌ  ｅｘｔｅｎｔ）は、セキュリティーデバイスの全領域より小さい。これらはデバイスの透明な領域を境界とするであろうし、そして偽造におけるなんらかのずれは明確に明らかとなるであろうので、これは、それぞれの側から見える２つのセキュリティー効果間の正確な一致を強調する。
【００１１】
上記のように、反射増強体は、第１の反射増強層のみからなることができるであろう。しかし、特に好ましい態様では、第１の反射増強層は反射増強体の第１の側と第２の側との１つを画定し、そして反射増強体は、第１の側と第２の側とのもう一方を画定する第２の反射増強層をさらに含む。これは、例えば、２つのレリーフ構造に異なる反射特性を与えるために使用できる。反射増強体は、必要に応じて、第１の反射増強層と第２の反射増強層との間に、使用中に見えないであろう追加の層を含むことができるであろう。最も好ましい態様において、第２の反射増強層は、反射増強体の第１の側を画定し、そして第１の反射増強層は、反射増強体の第２の側を画定する。
【００１２】
第１の反射増強層および第２の反射増強層は、異なる横方向の大きさを有することができるであろう。しかし、特に好ましい態様では、第１の反射増強層の横方向の大きさは、第２の反射増強層の横方向の大きさに相当する。このように２つの光学的可変効果は、相互に正確に一致するであろうし、第１の反射増強層のみがデバイスの片側から可視であり、そして第２の反射増強層のみがもう一方から見える。特に２つのレリーフが２つの異なる光学的可変効果を与える場合、これは、２つのセキュリティーデバイスが正確に一致している模様（ｉｍｐｒｅｓｓｉｏｎ）を与えることができ、一方実際これは単一のデバイスを通して、または異なる視点から異なる効果を生じる単一のデバイスにより、達成される。この結果は、偽造することが非常に難しい目立った視覚的インパクトとなる。
【００１３】
下記に記載するように、マスクとして第１の反射増強層を使用することによって、および例えばエッチングによって、第１の反射増強層によって覆われていない第２の反射増強層のこれらの部分を除去することによって、特に良好な結果を達成できる。それ故に好ましくは、第１の反射増強層は、デバイスから第２の反射増強層の材料を除去するのに好適なエッチング液に耐性を有するレジスト材料を含む。
【００１４】
反射増強体が第１の反射増強層に加えて層を含むか含まないかにかかわらず、好ましくは第１の反射増強層の２つの表面は、互いと異なる輪郭に従う。例えば、第１の反射増強層が反射増強体の両方の表面を提供する場合、好ましくはこの層の２つの表面は、異なる光学的可変効果を生成するレリーフ構造を有するであろう。第１の反射増強層の表面の１つのみが反射増強体の表面の１つを提供する場合、その表面は光学的可変効果を生成するレリーフ構造を伴って提供されるであろうし、一方反射増強体のもう一つの層と界面で接する場合、もう一方の表面は（平面を含む）任意の輪郭に従うことができる。
【００１５】
第１の反射増強層は上記で説明した必要な反射および形成可能な特性を提供するのに好適な任意の組成であることができるが、好ましくはバインダー中に分散した反射粒子を有するポリマーバインダー、また好ましくは反射インク、最も好ましくは熱可塑性反射インクを含む。例えば、第１の反射増強層は、反射粒子を含むビニル樹脂などのポリマーを含むことができるであろう。この反射粒子は、例えば、金属性粒子、光学的に変化できる粒子（例えば色ずれ粒子）または光学的に変化できる磁性粒子であることができるであろう。有利に、第１の反射増強層は、透明層の温度より低い形成温度を有する材料を含む。すなわち、第１のレリーフ構造が第２のレリーフ構造の形成によって損傷しないように、エンボス加工するためまたはそうでなければ、第２のレリーフ構造を第１の反射増強層中に形成するために必要な温度は、好ましくは透明層の材料が軟化するかまたは流れる温度より下である。第１の反射増強層は、例えば熱可塑性ポリマーバインダーを含むことができる。好ましい例において、第１の反射増強層は、光活性硬化剤、好ましくはＵＶ硬化剤を含む。
【００１６】
第１の反射増強層は、全体にわたって均一の外観であることができる。しかし、好ましい例において、セキュリティーデバイスの複雑さは、この層にパターンを導入することによって高められることができる。したがって、好ましくは、バインダー中に分散した反射粒子を有するバインダーをそれぞれ含む２種または３種以上の材料を第１の反射増強層は含み、この２種または３種以上の材料は、（人の目または機械にとって）相互に光学的に区別でき、そしてパターンを画定するように並べられている。例えば、第１の反射増強層は、それぞれが反射粒子を含む異なる材料のパターンとして、例えば１つの領域中に置かれることができるであろうし、この層は、アルミニウム粒子を含むことができ、そして別の領域において、この層は、見えるパターンを生じるように、銅粒子を含むことができる。代わりに反射粒子は層の至る所において同じであることができるが、分散している材料は、異なることができ、例えば下記に記載するように、異なる着色剤を含む。
【００１７】
最も有利に、第２の反射増強層は、１種または２種以上の金属またはそれらの合金、好ましくは銅、アルミニウム、ニッケルまたはクロム（またはそれらのいずれかの合金）を含む。反射増強体の第１の側または第２の側を形成する金属層の使用は、特に本体のその側中に形成されたレリーフによって生成される光学的可変効果の明るい再生となる。これは、本体の反対側上のバインダー/粒子（第１の）反射層の表面中に形成されたレリーフによって生成される光学的可変効果を有するコントラストをまた提供するであろうし、これはより低い度合いの鏡面反射によりより明るくなく見えるであろう。純粋なデバイスにおいて、この相違は、２つの側の比較によって確認され、そしてさらに真贋チェックとして機能することができる。第２の反射増強層は、例えば、欧州特許出願公開第１２９４５７６号明細書中に記載された異なる材料のパターン、例えば２種または３種以上の異なる金属で形成されることができるであろう。
【００１８】
代わりに、第２の反射増強層は、
光学干渉薄膜構造、
金属性粒子、光学的に変化できる粒子、または光学的に変化できる磁性粒子を含む層、
フォトニック結晶層、または、
液晶層、
のいずれかを含むことができるであろう。
【００１９】
そうした材料は、さらなる視覚効果を有する、例えば、異なる視角において異なる色（「色ずれ（ｃｏｌｏｕｒ  ｓｈｉｆｔ）」）を示すデバイスを提供するように使用されることができ、これはレリーフ構造によって生成された視覚効果上に重ね合わされて見えるであろう。
【００２０】
好ましくは、反射増強体の横方向の大きさは、堅牢なまたは装飾的な、形またはパターン、好ましくは細線パターン、または情報の項目（ｉｔｅｍ）、好ましくは数、文字、英数字テキスト、記号または図を規定する。特に、反射体全体が同じ横方向の大きさを共有する場合、この形またはパターンは、デバイスの両側から見える光学的可変効果の境界を画定し、それ故に極度に高い一致性を有する２つのデバイスの模様に寄与する。好都合な態様において、反射増強体は、見かけ上不連続な少なくとも２つの横方向のオフセット領域を含む。これは、デバイスの複雑さを増加させる。さらに好ましい態様において、反射増強体は、不連続な要素からなる遮蔽機能（ａ  ｓｃｒｅｅｎｅｄ  ｗｏｒｋｉｎｇ  ｏｆ  ｄｉｓｃｏｎｔｉｍｕｏｕｓ  ｅｌｅｍｅｎｔｓ）を含むことができる。典型的にはそうした要素は、小さすぎて肉眼で個々に区別できないであろう。遮蔽された領域は、少なくとも透過光において、半透明に見えるように並べられることができる。
【００２１】
第１の反射増強層および第２の反射増強層は、相互に実質的に同じ色、例えば銀であることができる。しかし、他の好ましい態様では、第１のレリーフ構造の光学的可変効果が第２のレリーフ構造の光学的可変効果の色と異なる色を示すように、第１の反射増強層の可視色は、少なくとも選択された波長の照明下で第２の反射増強層の可視色と異なる。これは、異なる２つの材料の固有の色によることができるであろう（例えば第１の反射増強層はアルミニウム粒子を含むことができ、それ故に銀色を有することができ、一方、第２の反射増強層は銅を含むことができ、それ故に銅色を有することができる）。他の好ましい場合において、第１の反射増強層は、光学的に有効な物質を含み、可視または非可視波長の照明下で可視であり、好ましくは第１の反射増強層に着色した色合いを与えるのに効果的であることができる。（複数の）光学的に有効な物質は、異なる色を有する２つの反射増強層となることができるか、またはできない。
【００２２】
留意すべきは、本明細書中で使用される用語「色」は、周囲の照明条件（すなわち、可視照明波長）下において不可視であり、そして具体的に非可視波長、例えばＵＶまたはＩＲの照明下においてのみ見えるようになる光学効果と、可視光下において見える色とを含むと理解されるべきであることである。さらに用語「色」は、黒色、灰色および銀を含む、見えるすべての色相および色調、ならびに赤色、青色、緑色などの色度を含む。
【００２３】
特に好ましい態様、（複数の）光学的に有効な物質は、それぞれの層に可視波長の照明下において色が見える、着色した色合いを与える。このようにデバイスの期待される外観は、任意の特別の照明を必要とすることなく確認できる。さらに好ましい態様において、（複数の）光学的に有効な物質は、可視スペクトルの外側の選択された波長、好ましくは紫外波長または赤外波長の照明下においてのみ見える。これは目または機械によって調べられることができるさらに隠されたセキュリティー機能を提供する。
【００２４】
またさらに好ましい態様において、（複数の）光学的に有効な物質は、温度、圧力、歪みまたは電位の１つまたは２つ以上の変化に応答した外観の変化を受ける。例えば、サーモクロミック、ピエゾクロミックまたはエレクトロクロミック物質を使用できるであろう。それぞれの場合において、物質の変化する外観は、可視スペクトル内または可視スペクトル外において見えることができ、そして一方からもう一方へ変化できる。
【００２５】
好ましくは、（複数の）光学的に有効な物質は、染料および／または顔料を含む。染料は層の光学透明性を保つために好ましい。
【００２６】
上記のように、第１の光学的可変効果と第２の光学的可変効果とが異なるように、第１の光学的可変効果を生成するレリーフ構造が第２の光学的可変効果を生成するレリーフ構造と異なることが特に好ましい。例えば、それぞれのレリーフは異なる画像内容（例えば２つの異なるホログラフィック画像）を生じることができ、そして／または異なる光学的に変化できるレリーフを生成する原理（例えば１つのホログラムおよび１つの回折格子）上で操作できるであろう。しかし、これは必須ではなく、そして２つのレリーフ構造は必要に応じて同じであることができるであろう。
【００２７】
特に好都合な例において、第１の光学的可変効果を生成するレリーフ構造は第１の視点から物体の画像を示すように構成されており、そして第２の光学的可変効果を生成するレリーフ構造は、第２の視点（好ましくは第１の視点から１８０度）から同じオブジェクトの画像を示すように構成されている。例えば、第１のレリーフ構造は、正面から見た人の頭の画像を再生できるであろうし、そして第２のレリーフは後ろから見た人の頭を表示できるであろう。代わりに、「オブジェクト」は、もう一方の前に一方が見えるように並べられ、もう一方のレリーフに対する一方のレリーフにより表示される画像において見かけ上の順序が逆に見えるように並べられた２種または３種以上の文字、数または他の記号を含むことができるであろう。結果は、特に容易に認識できかつ記載できる強い視覚的インパクトを有するデバイスとなる。
【００２８】
最も好ましくは、第１の光学的可変効果を生成するレリーフ構造および第２の光学的可変効果を生成するレリーフ構造は、相互に一致している。これは、相互に一致した（すなわち、それぞれの一連の同一のデバイスにおいて同じ相対的位置を有する）２つの光学的可変効果を生じる。しかし、これは必須ではない。
【００２９】
好ましくは、光学的可変効果を生成するレリーフ構造は、それぞれ、ホログラム、回折格子、Ｋｉｎｅｇｒａｍ（商標）またはプリズム構造などの非ホログラフィックマイクロ光学構造の１つを含む。本発明に好適なプリズム構造の例は、並べられて溝のある表面を形成する平面の面を有する一連の平行な線状プリズム、四面体の規則性のある配列、四角錐の配列、コーナーキューブ構造の配列、および六角面コーナーキューブの配列（ｈｅｘａｇｏｎａｌ−ｆａｃｅｄ  ｃｏｒｎｅｒ  ｃｕｂｅｓ）を含むがこれらに限られない。第２の好ましいタイプのマイクロ光学構造は、均質な材料の好適にカーブした表面において光を反射するものを含むマイクロレンズとして機能するもの、例えば平面−凸面小型レンズ、二重凸面小型レンズ、平面−凹面小型レンズ、および二重凹面小型レンズである。ほかの好適なマイクロ光学構造は、半球体、半球、六角形、正方形、円錐形、階段構造、立方体、鋸歯状構造、ファセット（ｆａｃｅｔｅｄ）構造またはそれらの組み合わせに基づく幾何学的な形を含む。
【００３０】
透明層は、セキュリティーデバイスが価値のあるオブジェクトにどのように取り込まれるかまたは適用されるかに部分的に依存して多くの形態を取ることができる。いくつかの好ましい例において、透明層は、例えば基材織物（ｓｕｂｓｔｒａｔｅ  ｗｅｂ）一部を形成する、熱可塑性ポリマー、例えばポリエステル（ＰＥＴ）を含み、これは全体としてセキュリティーデバイスの支持材として機能できまたはそれのセキュリティー証書のためにさえこのセキュリティーデバイスが究極的に一部を形成する。そうした場合において、第１のレリーフ構造は、例えば、熱および圧力を使用して従来のエンボス加工技術によって熱可塑性物の表面中に形成できる。他の好ましい実施形態において、透明層は、硬化性ポリマー、好ましくはＵＶ硬化性ポリマーを含むことができる。例えば、第１のレリーフは、ＵＶ硬化性樹脂の被膜中にキャスティング−硬化されることができるであろう。
【００３１】
上で述べたように、いくつかの態様において透明層は、基材、好ましくはセキュリティー証書基材またはセキュリティー物品基材の一体部分を形成する。例えば、第１のレリーフ構造は透明層の中に直接エンボス加工されて、ポリマー（またはポリマー/紙複合物）紙幣の基材を作り上げるか、または後でセキュリティー証書または価値のある他のオブジェクト中に取り込まれるかまたは適用されるセキュリティースレッドまたは箔などのセキュリティー物品の基材を形成することができる。他の好ましい態様では、透明層は、基材、好ましくはセキュリティー証書基材またはセキュリティー物品基材上に配置されている。これは、例えば第１のレリーフが基材、例えばキャスティング硬化したレリーフによって有される被膜または他の層の中に形成される場合である。
【００３２】
デバイスが適用されるセキュリティー証書または価値のある他のオブジェクトと独立してデバイスが形成される場合、デバイスは、好ましくは１つまたは２つ以上の透明接着剤層をさらに含む。これは、いずれかの側上または両側上にデバイスの最も外側の層を形成できる。透明接着剤を選択することによって、光学的可変効果の外観は損なわれない。
【００３３】
本発明は、上記の様なセキュリティーデバイスを含むセキュリティー物品をさらに提供し、セキュリティー物品は、好ましくは転写バンドまたは転写シート、セキュリティースレッド、箔、パッチ、ラベルまたはストリップを含む。上記の様なセキュリティーデバイスまたは上記の様なセキュリティー物品を含むセキュリティー証書がまた提供される、セキュリティー証書は、好ましくは紙幣、小切手、ＩＤ証書、証明書、株券、ビザ、パスポート、運転免許証、銀行カード、またはＩＤカードを含む。
【００３４】
透明層を通してデバイスを見た場合に、第１のレリーフ構造の光学的可変効果が見え、そして反対側から該デバイスを見た場合に、第２のレリーフ構造の光学的可変効果が見えるように、
透明層の表面中に第１の光学的可変効果を生成するレリーフ構造を形成することと、
反射増強体の第１の側が該第１のレリーフの輪郭に従うように、該第１のレリーフ構造の上に反射増強体を適用することと、
反射増強体の第２の側中に第２の光学的可変効果を生成するレリーフ構造を形成することと、
を含み、
反射増強体が、反射増強体の第１の側および／または第２の側を画定する少なくとも第１の反射増強層を含み、バインダー中に分散した反射粒子を有するバインダーを第１の反射増強層が含む、セキュリティーデバイスの製造方法が、さらに提供される。
【００３５】
反射粒子を含むバインダーの少なくとも１つ層を含む第１のレリーフにわたって反射増強体を適用し、そして次に反射増強体中に第２のレリーフを形成することによって、それぞれの側への光学効果がもう一方の側への光学効果と独立した両面を有するデバイスを、２つの金属被覆ステップへの必要性なしで作ることができる。第１の反射増強層は、レリーフ構造の一方または両方を見えるようにするように機能する。留意すべきは第１のレリーフ構造および第２のレリーフ構造は、２つの異なるレリーフ生成ステップにおいて形成されることである。
【００３６】
上記の特性または特徴のいずれかを有する反射増強体が適用されることができ、そして好ましくはセキュリティーデバイスの全領域より小さい領域にわたって、すなわち、透明であることができるデバイスの少なくとも一部分にわたって反射増強体がないように適用される。
【００３７】
上記のように、反射増強体は、第１の反射増強層のみからなることができるであろう。しかし、好ましい態様では、第１の反射増強層が反射増強体の第１の側と第２の側との１つを画定し、そして第２の反射増強層が第１の側と第２の側とのもう一方を画定するように、反射増強体を適用することは、第１の反射増強層を適用する前または後に第１のレリーフ構造にわたって第２の反射増強層を適用することを含む。最も好ましくは、第１の反射増強層が反射増強体の第２の側を画定し、そして第２の反射増強層が第１の側を画定するように、反射増強体を適用することが、第１の反射増強層を適用する前に、第１のレリーフ構造にわたって第２の反射増強層を適用することを含むことである。２つの反射増強層の使用は、それぞれの光学的可変効果に異なる反射特徴を与えるように使用できる。
【００３８】
有利に、第２の反射増強層は、１種または２種以上の金属またはそれらの合金、好ましくは銅、アルミニウム、ニッケルまたはクロム、またはそれらのいずれかの合金を含む。上記のように、金属反射層の使用は、光学的可変効果の特に明るい再生を生じる。特に好ましい態様において、第２の反射増強層は、（例えば、スパッタリング、抵抗ボート蒸発または電子ビーム蒸発を含む）真空蒸着、または化学気相堆積によって適用される。第２の反射増強層は、必要に応じて、２種または３種以上の材料、例えば２種または３種以上の異なる金属のパターンとして形成されて、デバイスにさらなるレベルの複雑さを与えることができる。欧州特許出願公開第１２９４５７６号明細書は、このように、２種または３種以上の金属を使用する反射層の空間変調を開示する。
【００３９】
代わりに、第２の反射増強層は、
光学干渉薄膜構造、
金属性粒子、光学的に変化できる粒子、または光学的に変化できる磁性粒子を含む層、
フォトニック結晶層、または
液晶層、
のいずれかを含むことができるであろう。
【００４０】
第１の反射増強層は、任意の技術、例えば被膜、堆積、転写等によって適用されることができるであろうが、有利には印刷、好ましくはグラビア印刷、フレキソ印刷またはスロットダイ（ｓｌｏｔｔｅｄ  ｄｉｅ）印刷によって適用される。このような印刷技術は、層が置かれる形またはパターンへの高度の制御を可能にする。好ましくは、その横方向の大きさが、堅牢なまたは装飾的な、形またはパターン、好ましくは細線パターン、または情報の項目、好ましくは数、文字、英数字テキスト、記号または図を規定するように、第１の反射増強層が適用される。有利に、見かけ上不連続な少なくとも２つの横方向のオフセット領域を含むように、第１の反射増強層は適用される。第１の反射増強層は、不連続な要素からなる遮蔽機能として適用されることができる。
【００４１】
最も好ましい態様において、この方法は：第１の反射増強層を適用した後で、第１の反射増強層および第２の反射増強層の横方向の大きさが相当するように、第２の反射増強層が第１の反射増強層によって覆われていないデバイスの領域から第２の反射増強層の材料を除去することをさらに含む。これは、達成できる極度に高度の一致を示し、そして正確な配置に位置する２つの（好ましくは異なる）セキュリティーデバイスの模様を与える。
【００４２】
マスクとして第１の反射増強層を使用する第２の反射増強層の材料を除去するための任意の技術は、除去される領域の境界を区切るために使用できるであろう。例えば、材料は、レーザーアブレーションまたはイオンエッチングによって除去されることができるであろう。しかし、最も好ましくは、除去はエッチングにより行われ、第１の反射増強層は、エッチングレジストとして働く。
【００４３】
第１の反射増強層は、上記のように確認した特性および特徴のいずれかを有することができる。特に好ましい態様において、第１の反射増強層は、光活性硬化剤、好ましくはＵＶ硬化剤を含み、この方法は、第２の光学的に変化できるレリーフ構造を形成する前に第１の反射増強層を部分的に硬化すること、そして／または第２の光学的に変化できるレリーフ構造を形成した後で第１の反射増強層を充分に硬化させることをさらに含む。このように、第１の反射増強層は、比較的流体の形態で、例えば印刷によって、置かれることができ、そして次に照射または別の刺激（例えばＵＶ）により、材料が依然形成されることができる中間ステージへと硬化される。第２のレリーフが層中にエンボス加工された後で（またはエンボス加工の間に）、レリーフ構造が保持されることを確かにするように材料はさらに硬化されることができる。他の硬化技術、例えば熱活性化硬化は、必要に応じて使用できる。
【００４４】
上記の様に、第１の反射増強層および第２の反射増強層は、異なる光学特徴、例えば色を有することができ、そして第１の反射増強層は、光学的に有効な物質を含むことができる。
【００４５】
好ましくは、例えば、インライン製造プロセスにおいて、それぞれのレリーフをエンボス加工すること（またはそうでなければ、形成すること）によって、第１の光学的可変効果を生成するレリーフ構造および第２の光学的可変効果を生成するレリーフ構造は、相互に一致して形成される。第１の光学的可変効果を生成するレリーフ構造および第２の光学的可変効果を生成するレリーフ構造は、それぞれ、エンボス加工またはキャスティング硬化のいずれかによって、形成されることができるであろう。
【００４６】
第１の透明層は、熱可塑性ポリマー、好ましくは硬化剤を有する熱可塑性ポリマー、または硬化性ポリマー、好ましくはＵＶ硬化性ポリマーを含むことができる。この方法は、有利に、第２の光学的可変効果を生成するレリーフ構造が形成される前に第１の透明層を硬化することをさらに含むことができる。これは、第１のレリーフの形成に続きまたはその間、および反射増強体の適用の前または後であることができる。
【００４７】
上記のセキュリティーデバイスのもう一方の特徴のいずれかは、方法の適当な適合を通して取り込まれることができる。
【００４８】
セキュリティーデバイスがセキュリティー物品として形成される場合、デバイスを含むセキュリティー物品は、任意の従来技術、例えばホットスタンピング、冷（ｃｏｌｄ）接着、積層、紙製造工程への取り込み等によって、セキュリティー証書の中に取り込まれるかまたはセキュリティー証書に適用されることができる。セキュリティーデバイスは、好ましくは、証書の窓領域、例えば開口または透明な部分と少なくとも部分的におよび好ましくは充分に重複して並べられ、これはセキュリティーデバイスの取り込み前または後で形成できる。
【００４９】
本発明によるセキュリティーデバイスおよび製造方法の好ましい態様は、付属の図を参照して記載されかつ比較例と対照されるであろう。
【図面の簡単な説明】
【００５０】
【図１】図１は、セキュリティーデバイスを取り込んだセキュリティー物品の第１の比較例を図式的に記載し、
【図２】図２は、（ｉ）観察者Ａが見たセキュリティーデバイスの外観、および（ｉｉ）観察者Ｂが見たセキュリティーデバイスの外観の概略図と共に、例示的なセキュリティー証書に適用された図１のセキュリティーデバイスを記載し、
【図３（ａ）】図３（ａ）は、セキュリティーデバイスを取り込んだセキュリティー物品のさらなる比較例を記載し、
【図３（ｂ）】図３（ｂ）は、セキュリティーデバイスを取り込んだセキュリティー物品のさらなる比較例を記載し、
【図４】図４は、（ｉ）観察者Ａが見たセキュリティーデバイスの外観、および（ｉｉ）観察者Ｂが見たセキュリティーデバイスの外観の概略図と共に、例示的なセキュリティー証書に適用された図３のセキュリティーデバイスを記載し、
【図５】図５は、（ｉ）観察者Ａが見たセキュリティーデバイスの外観、および（ｉｉ）観察者Ｂが見たセキュリティーデバイスの外観の概略図と共に、例示的なセキュリティー証書に適用された本発明によるセキュリティーデバイスの第１の態様を記載し、
【図６】図６は、本発明によるセキュリティーデバイスを製造する第１の例示的な方法における選択されたステップを示すフロー図であり、
【図７】図７は、（ｉ）観察者Ａが見たセキュリティーデバイスの外観、および（ｉｉ）観察者Ｂが見たセキュリティーデバイスの外観の概略図と共に、例示的なセキュリティー証書に適用された本発明によるセキュリティーデバイスの第２の態様を記載し、
【図８】図８は、本発明によるセキュリティーデバイスを製造する第２の例示的な方法における選択されたステップを示すフロー図であり、
【図９（ａ）】図９（ａ）は、製造の種々のステージにおける、本発明によるセキュリティーデバイスの第３の態様を記載し、
【図９（ｂ）】図９（ｂ）は、製造の種々のステージにおける、本発明によるセキュリティーデバイスの第３の態様を記載し、
【図９（ｃ）】図９（ｃ）は、製造の種々のステージにおける、本発明によるセキュリティーデバイスの第３の態様を記載し、
【図９（ｄ）】図９（ｄ）は、製造の種々のステージにおける、本発明によるセキュリティーデバイスの第３の態様を記載し、
【図９（ｅ）】図９（ｅ）は、製造の種々のステージにおける、本発明によるセキュリティーデバイスの第３の態様を記載し、
【図９（ｆ）】図９（ｆ）は、製造の種々のステージにおける、本発明によるセキュリティーデバイスの第３の態様を記載し、
【図１０】図１０は、（ｉ）観察者Ａが見たセキュリティーデバイスの外観、および（ｉｉ）観察者Ｂが見たセキュリティーデバイスの外観の概略図と共に、例示的なセキュリティー証書に適用された本発明によるセキュリティーデバイスの第４の態様を記載し、
【図１１】図１１は、本発明によるセキュリティーデバイスの第５の態様を記載し、
【図１２】図１２は、本発明による製造方法を行うのに好適な例示的な装置を示し、
【図１３】図１３は、本発明によるセキュリティーデバイスの第６の態様を記載し、
【図１４（ａ）】図１４（ａ）は、本発明による例示的なセキュリティー証書を記載し、
【図１４（ｂ）】図１４（ｂ）は、本発明による例示的なセキュリティー証書を記載し、図１４（ｂ）は図１４（ａ）中のラインＸＸ’に沿った断面を示し、
【図１５（ａ）】図１５（ａ）は、本発明によるセキュリティーデバイスを取り込んださらに例示的なセキュリティー証書を記載し、
【図１５（ｂ）】図１５（ｂ）は、本発明によるセキュリティーデバイスを取り込んださらに例示的なセキュリティー証書を記載し、図１５（ｂ）は図１５（ａ）中のラインＸＸ’に沿った断面であり、
【図１６（ａ）】図１６（ａ）は、本発明によるセキュリティーデバイスを取り込んださらに例示的なセキュリティー証書を記載し、
【図１６（ｂ）】図１６（ｂ）は、本発明によるセキュリティーデバイスを取り込んださらに例示的なセキュリティー証書、および図１６（ａ）中のラインＸＸ’に沿ったセキュリティー証書の代替断面を記載し、
【図１６（ｃ）】図１６（ｃ）は、本発明によるセキュリティーデバイスを取り込んださらに例示的なセキュリティー証書、および図１６（ａ）中のラインＸＸ’に沿ったセキュリティー証書の代替断面を記載し、
【図１７（ａ）】図１７（ａ）は、本発明によるセキュリティーデバイスを取り込んだ別の例示的なセキュリティー証書、および証書の正面図を示し、
【図１７（ｂ）】図１７（ｂ）は、本発明によるセキュリティーデバイスを取り込んだ別の例示的なセキュリティー証書、ならびに証書のび裏面図（その短い端回転でひっくり返された）を示し、
【図１７（ｃ）】図１７（ｃ）は、本発明によるセキュリティーデバイスを取り込んだ別の例示的なセキュリティー証書、ならびに図１７（ａ）および図１７（ｂ）中のラインＸＸ’に沿った断面図であり、
【図１８（ａ）】図１８（ａ）は、本発明によるセキュリティーデバイスを取り込んださらに例示的なセキュリティー証書、および正面側からみた証書の左部分を示し、
【図１８（ｂ）】図１８（ｂ）は、本発明によるセキュリティーデバイスを取り込んださらに例示的なセキュリティー証書、および後ろ側から見た証書の右部分（証書は、その短い端の回りでひっくり返された）を示し、
【図１８（ｃ）】図１８（ｃ）は、本発明によるセキュリティーデバイスを取り込んださらに例示的なセキュリティー証書、および図１８（ａ）および図１８（ｂ）中のラインＸＸ’に沿った断面図である。
【発明を実施するための形態】
【００５１】
下記の記載は、ホログラムの形態で、光学的可変効果を生成するレリーフ構造を有するセキュリティーデバイスの例に焦点を当てるであろう。これにより、レリーフが光の回折のメカニズムによりグラフィカル画像を生成する構造であることを意味する。しかし、さらに通常、用語「光学的可変効果」は、外観が視角により変わって生成されることを意味する。記載されたレリーフ構造を通して行われることができる光学的可変効果の他の例は、上記のように、回折格子、Ｋｉｎｅｇｒａｍ（商標）およびプリズム効果を含む。
【００５２】
図１は、第１の比較例によるセキュリティー物品１を示す。ここで、セキュリティー物品１は、支持層２上に有されるセキュリティーデバイス１０を含む例えば転写箔、セキュリティースレッド、パッチまたは類似のものを含むことができる。典型的には、支持層２は、セキュリティー証書に適用されるとデバイス１０から取り外される解放シートまたはストリップとして機能し、この場合支持層２は、任意の簡便な形態、例えば（不透明、半透明または透明な）ポリマーまたは紙織物をとることができる。（示されていない）解放層は、支持層２とセキュリティーデバイス１０との間に提供されて、セキュリティー証書へのデバイスの適用により、支持層２からのセキュリティーデバイス１０の脱離を助けることができる。例えば、転写がホットスタンピングによって行われる場合、レリーフ層は、ワックスの層または類似のものを含むことができる。
【００５３】
セキュリティーデバイス１０は、その中にホログラフィック（または他の光学的に変化できる）レリーフ構造４が形成される透明層３を含む。留意すべきは、透明層３は、実際には、相互にラミネート加工した複数の層でできていることができ、そしてこれは、この開示中に挙げられたすべての「層」に適用されることである。透明層３は、レリーフ構造４が生成されることができる任意の好適な透明な材料、例えば熱可塑性ポリマーまたは放射硬化性樹脂などの従来のエンボス加工ラッカーでできていることができる。この透明層３は、層３に色合いを与える好適な染料などの着色剤を含む。この色合いは、可視波長において照明下で人間の目に見えることができるか、または見えないことができる。例えば、ＵＶまたはＩＲなどの可視スペクトルの外側の選択された波長を用いて照射されない限り、着色剤は見えないことができるであろうし、そしてリン光性発光、蛍光または発光性であることができるであろう。しかし、最も好ましい例において、色効果が専門的な装置への必要なしで直ちに容易に明らかであるために、周囲の照明条件下で、着色剤は可視である。
【００５４】
（破線として図１〜４中の図式的に示された）レリーフ構造４は、熱と圧力とを組み合わせた操作、またはキャスティング硬化の下で、エンボス加工などの適当な従来の技術を使用して層３中に形成され、この層３は支持層２の上へ比較的流体の樹脂として被覆され、そして流体樹脂に適用された成形されたダイが所望のレリーフの形を有する。この樹脂はダイに適合するように流動し、それによって所望のレリーフ形をとり、そして例えばＵＶなどの照射を用いた硬化により、同時にまたはその後に硬化される。レリーフ４がキャスティング硬化によって形成される場合、層３は、典型的には樹脂の単一の均質な膜を含む。しかし、レリーフ４がエンボス加工される場合、層３は、さらに典型的には、使用時にホログラムおよび機械的により柔らかくかつ／または保護層より低いガラス転移点を有する材料で通常できたエンボス加工層を覆うであろう（通常「スカッフ（ｓｃｕｆｆ）」層と呼ばれる）少なくとも保護被膜層を含む複数の層を含む。中間層がまた含まれることができる。着色剤は、層３内の複数の層のいずれの中に位置することができるであろうが、最も好ましくは（提供されている場合）保護被膜および／または中間層中に位置する。
【００５５】
レリーフ構造４の形成に続いて、金属などの反射増強層５が、好ましくは真空金属被覆によって適用される。この反射増強層５は両側上でレリーフ構造４にならう。図に示すように、金属被覆はデバイスの全領域を覆う。
【００５６】
最終的に、この例において、光学的に透明な接着剤６が、反射増強層５にわたって適用されて、証書基材へのデバイス１０の容易な接着を可能にする。しかし、他の例において、例えばセキュリティーデバイスが紙の製造工程の間に証書中に取り込まれるか、または接着剤が証書の表面それ自体の上に提供される場合、接着剤層６は、（層３と支持層２との間の）デバイスの反対の側上に、デバイスの両側上に、提供されることができるであろうし、または全部省略されることができるであろう。
【００５７】
図２は、セキュリティー物品１から除去され、そして窓１６の領域においてセキュリティー証書１５に適用されたセキュリティーデバイス１０を示す。ここで、セキュリティー証書は、証書基材を通って形成された開口を有し窓１６を画定する従来の紙構造物である。セキュリティーデバイス１０は、並べられて窓１６にわたりかつ証書基材１５の周囲の部分上に伸びて、証書とデバイスとの間の接着を可能にする。他の場合において、証書は、さらに下記の態様において記載されるであろうように、窓１６を形成する少なくとも１つの領域中の透明な材料を含むことができるであろう。
【００５８】
セキュリティーデバイス１０は、観察者ＡおよびＢによって具体的に記載されるようにセキュリティー証書１５の両側から見える。記号Ｈによって図２（ｉ）中に記載されるように、観察者Ａの場所からは、反射増強層５と組み合わせたレリーフ構造４（例えばホログラフィック画像）によって生成される光学的可変効果が見える。この光学的可変効果は、着色した透明層３を通して見られ、それ故に光学的可変効果を全体として含むデバイスは、層３の色がついて見える。レリーフ４の裏面が見られているという事実によりホログラムの内容は逆（すなわち、観察者Ａの位置からみたものとの鏡像）に見えるであろうが、セキュリティー証書１５の反対側から、図２（ｉｉ）に示すように、観察者Ｂは同じ光学的可変効果Ｈを見る。しかし、（透明接着剤層６が無色であると仮定して）反射増強層５の色によってのみ決定されるであろうので、全体として光学的可変効果およびデバイスの色は、位置Ａにおいて見られるものと異なって見えるであろう。このように、２つの異なる光学的に変化できる外観は、デバイスの２つの側から観察されることができる。しかし、それぞれの２つの光学的に変化できる外観は、全窓領域１６を占有するので、２つの効果の間の関係は、特にはっきりと異なっておらず、そして全体的な効果は、ほとんど困難性を伴わずに証書の２つの反対の側上への適当な色の２つの異なるホログラフィックデバイスの提供を通して、再現されることができるであろう。
【００５９】
図３（ａ）および３（ｂ）は、２つの異なる光学的に変化できる外観がデバイス中の反射増強層の片側に着色印刷を提供することによって達成されるさらなる比較例を示す。一般的に、図３（ａ）および３（ｂ）中の参照番号は、図１中で使用された参照番号に対応し、そしてそれらのそれぞれの構成部分は、あらかじめ記載されたのと同じ様式で形成できる。しかし、この場合は、レリーフ構造４が形成される透明層３は（必要に応じて含むことができるが）着色剤を含む必要がない。（例えば真空金属被覆により）反射増強層５を適用後に、着色印刷７は、従来の印刷技術により適用される。着色印刷７は、デバイスの全領域を覆うことができ、または図３（ａ）に示すように連続な形を画定でき、または図３（ｂ）に示すように、証印の形態、例えば文字、数、記号または図をとることができる。
【００６０】
図４は、上記のような同じ技術のいずれかを使用して、例示的なセキュリティー証書１５に適用される図３（ａ）のデバイスを記載する。図４（ｉ）は、観察者Ａの位置からのデバイスの外観を記載し、そしてここでホログラムＨは、反射増強層５（例えば銀）の色を有して見える。反対の側から、観察者Ｂは、（逆方向の）同じホログラムＨを見るが、いまや印刷層７の着色した色合いを有し、この場合（楕円）デバイスの境界内に含まれる星形を画定する。星形の外側では、反射増強層５の元々の色が見え、そして光学的可変効果が継続するであろう。これはまた、覚悟した偽造者が、例えば２つのホログラムおよび適当な重ね刷りの使用を通して模倣するには、比較的容易である。
【００６１】
図５は、窓１６の領域中の例示的なセキュリティー証書１５に適用された、本発明の第１の態様よるセキュリティーデバイス２０を記載する。この場合は、窓１６は、セキュリティーデバイス２０がそこに直接適用された証書１５の透明部分によって構成されている。しかし、セキュリティーデバイス２０は、上記に記載したのと同じ様式で開口にわたって適用されることができるであろう。
【００６２】
セキュリティーデバイス２０は、その表面中に形成された光学的可変効果を生成するレリーフ構造２２を有する第１の透明層２１を含む。反射増強体２３は、その側２３ａの１つ上のレリーフ２２にならう。この反射増強体２３は、下記でさらに記載されるであろうように反射材料を含み、したがって反射増強体２３が存在する領域において見えるレリーフ２２によって生成された光学的可変効果を与える。反射増強体２３の第２の側２３ｂは、本体２３の表面に形成された第２の光学的可変効果を生成するレリーフ構造２６を有する。このおよび他の好ましい態様において、生成される２つの光学的可変効果が、例えばそれらの情報内容においておよび／またはそれらが作用するメカニズムにおいて異なるように、第２の光学的可変効果を生成する構造２６は、第１の光学的変化を生成するレリーフ構造２２と異なる。しかし、他の場合において、２つのレリーフ構造２２および２６は、実質的に同一であることができ、そして同じである光学的可変効果を生じることができるであろう。それにもかかわらず、下記の様に、２つのレリーフ構造２２および２６は、相互から独立して形成される。
【００６３】
この例において、反射増強体２３は、例えば金属薄片などの反射粒子が分散された材料の層を含む。例えば、層２３は、アルミニウム薄片の分散体を有する透明なバインダーを含んで、実質的に不透明の銀色の反射材料の全体的な模様を与えることができる。層２３のこの反射の性質は、デバイスの２つのそれぞれの側から見えるレリーフ構造２２および２６によって生成されるそれぞれの光学的可変効果を与え、したがって金属被覆工程は必要ではない。
【００６４】
レリーフ構造２２および２６によって生成される光学的可変効果のそれぞれがデバイスの同じ準領域においてのみ見えるように、反射体２３はデバイス２０の全体領域より小さい領域にわたってのみ存在する。２つの光学的可変効果の境界は、同じ反射層２３によって画定されるであろうので、それらの横方向の大きさは、自動的に正確に同じであろう。
【００６５】
窓１６の領域において証書１５にデバイス２０を固定する透明接着剤２８が反射増強体２３の周囲に提供される。好ましくは、光学的可変効果領域が、見えないようにデバイス内で浮いて見えるように、透明層２１および透明接着剤２８は無色である。しかし、好ましい場合、これらの層のいずれかは着色した色合いを有することができるであろう。
【００６６】
図５（ｉ）は、観察者Ａの位置からのデバイス２０の外観を具体的に示す。この視点から、レリーフ構造２２によって生成されたホログラム画像Ｈ１が再生される。ホログラフィック効果は、反射層２３が存在する領域中においてのみ見え、ここではこれは中央の円の領域および中央の円の領域を囲むように並べられた複数の間隔の空いた三角形の部分を有する「太陽」の形を形成している。（円の輪郭によって具体的に記載された）デバイスの残りは、なんらかの光学的可変効果なしで透明である。図５（ｉｉ）は、観察者Ｂが見たその反対の側からのデバイスの外観を具体的に示す。ここで、これはまた反射層２３の範囲により画定されるので、光学的可変効果の横方向の大きさは、観察者Ａが見たのと正確に同じであり、正確に同じサイズおよび位置で太陽の記号の形を有する。反射領域において、第２のレリーフ構造２６によって生成される第２のホログラフィック画像Ｈ２が再生される。太陽の形をした領域の外側では、デバイスは再び透明に見える。
【００６７】
したがって、単一のデバイスが、相互に正確に一致した２つの異なるホログラフィック効果デバイスの外観を達成する。結果は、容易に模倣できない強い視覚的模様を有するデバイスとなる。例えば、２つの別個のデバイスの使用を通して必要な配置を達成するのは、極度に困難であろう。
【００６８】
上で述べたように、第１のレリーフ構造および第２のレリーフ構造２２および２６は、同一であることができるが、好ましくは異なって、異なる光学的可変効果を生じることができる。例えば、レリーフ構造の１つはホログラムを画定できるであろうし、同時にもう一方はキネグラム（ｋｉｎｅｇｒａｍ）またはピクセルグラム（ｐｉｘｅｌｇｒａｍ）を画定できるであろう。他の例において、レリーフ構造の両者は、相互に同じ原理で作用できるが、異なる情報内容を有することができる。例えば、１つのレリーフ構造は、第１のホログラフィック画像を生じ、そしてもう一方は、第２の異なるホログラフィック画像を再生できる。例えば、第１のレリーフ構造２２は、通貨記号（例えば「
【化１】
2016510431.tif 000003
」）のホログラフィック画像を再生でき、同時に第２のレリーフ構造２６は、額面金額（例えば「１０」）を表す画像を表示できる。特に好ましい例において、レリーフ構造によって生成された２つの画像は、どのようなメカニズムが利用されても、概念的に相互に関連している。例えば、両方の画像は、同じオブジェクトであるが異なる視点、最も好ましくは１８０°によって分割された視点であることができる。例えば、第１のレリーフ構造２２は、正面から見た人の頭部の画像を再生でき、そして第２のレリーフ構造２６は、後ろから見た人の頭部の画像を再生できる。代わりに、２つの画像は、記号の組み合わせなどの１つのオブジェクト、すなわち例えば星の記号の前に位置する数「５」を表示する第１のレリーフ２２、および「５」の前に星の記号の画像を示す第２のレリーフ２６（そして両方の記号は逆に表示されることができる）を表示したものであることができる。２つの画像間の強力な視覚的関係を提供することによって、デバイスの模様が高められ、そしてセキュリティー効果は、より容易に描写可能である。
【００６９】
この例において、反射層２３は、太陽の形の記号の形態をとるが、任意の装飾的な若しくは堅牢な形またはパターン、例えば文字、数、記号または他の証印、または幾何学的な形または細線パターンを有利に使用できる。好ましくは、形またはパターンは、少なくとも２つの見かけ上不連続な領域、すなわち、肉眼によって個々に区別できるように充分に大きくかつ充分な距離で間隔を取っている反射体２３の範囲、例えばこの場合は、中央の円の領域および太陽の形の記号を作る周囲の三角形の範囲を含む。これは、デザインの複雑さおよび視覚的インパクトを高める。（肉眼に連続かつ切れ目のないように見える）それぞれのそうした領域内で、反射体２３は、切れ目ない全面の層中に適用されることができ、または遮蔽機能−すなわち、間隔の空いた遮蔽要素の配列として適用されることができるであろう。肉眼によって要素が個々に区別できず、そしてあたかも層が連続しているかのようにこの領域が肉眼に見えるように、遮蔽物の寸法は典型的には充分に小さい。とはいえ、遮蔽物を通して光を透過できるので、これは半透明なデバイスを製造するのに使用できる。
【００７０】
例えば図５に示されたセキュリティーデバイスを製造するための第１の好ましい方法を、方法の選択されたステップを記載するフロー図である図６を参照して説明する。第一ステップＳ１０１において、光学的可変効果を生成するレリーフ構造２２が、透明層２１の表面上に形成される。例えばセキュリティー物品の支持層を形成することができる透明層２１は、図１に示された基材、例えばキャリアー層２の上に保持されることができるであろうし、または基材は、セキュリティー証書の一体部分、例えばポリマー紙幣基材またはＩＤカードの層であることができるであろう。これはさらに後の態様において記載されるであろう。透明層２１は、例えば熱可塑性樹脂層、例えばポリエステル、ポリエチレンテトラフタレート（ＰＥＴ）、ポリエチレン、ポリアミド、ポリ（ビニルクロライド）（ＰＶＣ）、ポリ（ビニリデンクロライド）（ＰＶｄＣ）、ポリメチルメタクリレート（ＰＭＭＡ）、ポリエチレンナフタレート（ＰＥＮ）、ポリスチレン、またはポリスルホン；またはエンボス加工ラッカー層、例えばＰＭＭＡ系樹脂、アクリル樹脂またはビニル/スチレンコポリマーを含むことができる。この場合は、レリーフ構造２２は、例えば熱と圧力とを組み合わせた動作を通して熱可塑性樹脂層２１の中へ円筒型の画像を形成するダイ（例えばエンボス加工ローラー）を押しつけることによって表面レリーフを形成することを含む、従来のエンボス加工法を通して形成されることができる。代わりに、透明層２１は、キャスティング硬化樹脂であることができるであろう。例えば、層２１は、画像形成ダイまたはローラーによって接触される粘性のある液体被膜またはモノマーの膜として適用されることができる。表面レリーフは、重合を起こす層２１の放射（例えばＵＶ放射）への同時またはほぼ同時の曝露によって膜にキャスティングされる。このように表面レリーフ２２は、層２１中に設定される。フリーラジカルまたはカチオン性ＵＶ重合を用いるＵＶ硬化性ポリマーは、ＵＶキャスティング工程に好適である。フリーラジカル系の例は、光架橋可能なアクリレートメタクリレートまたは芳香族ビニルオリゴマー樹脂を含む。カチオン系の例は、脂環式エポキシドを含む。ハイブリッドポリマー系はまた、フリーラジカルとカチオン性ＵＶ重合との両者を組み合わせて用いられることができる。
【００７１】
いずれの技術が適合されても、表面レリーフ構造２２の無欠陥性は、第２のレリーフ構造２６を形成するのに必要な続く処理によって傷つけられたりまたは影響されたりしないことは重要である。したがって、第１の透明層２１は、高い軟化温度（または高いガラス転移点）を有しかつ機械的に堅い材料を含むことが好ましい。例えば、第１のレリーフ構造は、好ましくは約１３０〜１５０℃の温度において加えられた圧力に耐えることができるべきである。レリーフ構造２２が熱可塑性樹脂層２１中に形成される場合、一旦レリーフ２２がその表面その中にエンボス加工されると、層がＵＶ（または他の適当な放射）に暴露されることができ、したがって架橋し、それによってエンボス加工に続いてその軟化温度および硬度を高めるように、層２１が加えられた好適なＵＶ架橋の系を有することが好ましい。もちろん、他のタイプの硬化することまたは硬化剤を同様に使用することができるであろう。レリーフ２２を形成するキャスティング硬化法は、他方では、レリーフが形成された一旦硬化した樹脂は堅牢であろうので、通常本来的に好適である。（熱可塑性物に加えられたクロスカップリング剤の使用を通してか、またはキャスティング硬化樹脂の使用を通してのいずれかで）第１の透明層が架橋した場合、その軟化温度は、効果的に無限大になる。
【００７２】
ステップＳ１０２において、反射増強体２３は、レリーフ２２に反射粒子を含む層を適用することによって形成される。適用後にさらなるレリーフ構造の模様を受け入れかつ維持するであろう点で反射層を形成できる。例えば、反射層は、金属性薄片の分散体（例えば熱可塑性金属性インク）のためのバインダーとして働く透明な熱可塑性樹脂を含むことができるであろう。代わりに反射粒子は、例えば金属/誘電体スタックまたは誘電体/誘電体スタック、または類似の構造であるがさらに磁性材料を取り込んだ光学的に変化できる磁性粒子を含む光学的に変化できる粒子であることができるであろう。熱可塑性バインダーの軟化温度は、第１のレリーフ構造２２を支持する透明層２１の軟化温度より著しく低いことが望ましい。
【００７３】
さらに詳細には、反射粒子は、アルミニウム、銅、亜鉛、ニッケル、クロム、金、銀、白金等の金属、もしくは真空下で堆積されることができる、銅アルミニウム、銅亜鉛またはニッケルクロム等の任意の他の金属または関連した合金から誘導された金属性粒子であることができる。有機着色剤または染料は、所望の色を達成するようにバインダーに加えられることができる。
【００７４】
反射粒子は元々非常な小平板または薄板すなわち（小平板の長さ）に平行な軸に沿った反射粒子の寸法が反射界面（小平板の厚さ）を横切る寸法より著しく大きいことが、必須ではないが好ましい。この「著しく大きい」は、小平板の長さが厚さの少なくとも２〜５倍、そして望ましくはさらに大きいことを意味する。生産の基本的方法によって小平板の厚さは１０ｎｍ〜１００ｎｍの範囲であることができるが、ホログラフィックまたは回折構造への適用のためには、好ましい厚さは、１０ｎｍ〜１００ｎｍおよびさらに特に２０〜５０ｎｍの範囲である。薄片が良好な空間充填因子（ｓｐａｔｉａｌ  ｆｉｌｌ  ｆａｃｔｏｒ）を有する光学微細構造レリーフの形にならうことを確かにすることが好ましく、そしてこれは、両方の寸法が光学的に変化できる回折マイクロ構造中に存在する周期を超えるように、小平板長さおよび幅を選択することによって達成できる。薄片の長さおよび幅が平均してそれらの厚み４０倍であるという事実はまた、乾燥または硬化するにつれて分散体が経験する重力および圧縮力の影響下で自己を支持するのに充分機械的に固くないことを意味する。したがってこれらはインクが乾燥するにつれて格子レリーフの形に容易にならう傾向があるであろう。典型的にはそれぞれの個々の薄片が途切れることなく１つの格子溝を広げる傾向があるという事実と伴に格子プロファイルの形へのこの改善された共形性は、１００ｎｍの薄片でよりずっと高い回折効率を提供するであろう。小平板の長さおよび幅をさらに増加することによって、回折効率におけるさらなる改善が送達されるであろう。具体的に（格子配列である）コヒーレントな第２供給源の連鎖または連続内単一な第２供給源の混乱とそれぞれの回折溝を見る場合、８〜１０以上のコヒーレントな第２供給源すなわち、反射格子溝の干渉されない配列があるまで完全な回折効率が達成されないという基礎的な解析理論から知られている。したがって例示的なシナリオにおいて小平板薄片は、少なくとも８〜１０の格子溝におよぶのに充分な長さまたは幅を有するであろう。したがって典型的な回折光学的に変化できる画像デバイス、特に好ましくは小平板のために、長さおよび幅は、約１０、０００ｎｍ以上になるであろう。
【００７５】
第１の反射増強層は、上記のような硬化性透明材料と同じ様式で、ＵＶ照射により硬化性であることができ、または反射増強層は、物理的に乾燥していることができ、そして水系または溶媒系であることができる。材料を物理的乾燥させるために、バインダーは、ニトロセルロース、エチルセルロース、セルロースアセテート、セルロースアセテートプロピオネート（ＣＡＰ）、セルロースアセテートブチレート（ＣＡＢ）、アルコール可溶性プロピオネート（ＡＳＰ）、ビニルクロライド、ビニルアセテートコポリマー、ビニルアセテート、ビニル、アクリル、ポリウレタン、ポリアミド、松やにエステル、炭化水素、アルデヒド、ケトン、ウレタン、ポリエチレンテレフタレート、テルペンフェノール、ポリオレフィン、シリコーン、セルロース、ポリアミドおよび松やにエステル樹脂を含む群から選択される任意の１つまたは２つ以上を含むことができる。
【００７６】
組成物は、溶媒をさらに含むことができる。金属性インク中で使用される溶媒は、エステル、例えば酢酸ｎ−プロピル、酢酸イソプロピル、酢酸エチル、酢酸ブチル；アルコール、例えばエチルアルコール、工業用変性アルコール、イソプロピルアルコールまたはノルマルプロピルアルコール；ケトン、例えばメチルエチルケトンまたはアセトン；芳香族炭化水素、例えばトルエン；または水の任意の１種または２種以上を含むことができる。
【００７７】
ＵＶ硬化性材料のために、バインダーは、アクリル系ＵＶ硬化性透明エンボス加工可能ラッカーまたは被膜を含むことができる。そうしたＵＶ硬化性ラッカー、製品紫外タイプＵＶＦ−２０３または類似のものは、Ｋｉｎｇｆｉｓｈｅｒ  Ｉｎｋ  Ｌｉｍｉｔｅｄを含む種々のメーカーから得ることができる。バインダーのための他の好適な材料は、フリーラジカルまたはカチオン性ＵＶ重合を用いるＵＶ硬化性ポリマーを含む。フリーラジカルの系の例は、光架橋可能なアクリレートメタクリレートまたは芳香族ビニルオリゴマー樹脂を含む。カチオン系の例は、脂環式エポキシドを含む。ハイブリッドポリマー系はまた、フリーラジカルおよびカチオン性ＵＶ重合の両方を組み合わせて用いることができる。
【００７８】
反射層２３は、（例えば、透明層２１の全体の横方向の大きさより小さい）デバイスの全領域より小さな画定された領域にわたってレリーフ２２の上に適用される。反射層２３は、好ましくは装飾的なまたは堅牢な形またはパターン、例えば文字、数、記号または他の証印または形または細線パターンの形態で置かれる。例えば、反射層２３は、上記の「太陽」の記号の形で置かれることができる。反射層２３の配置の上で高度の制御を達成するために、材料は、好ましくは印刷技術、例えばグラビア印刷を使用して置かれる。しかし、他の適用技術、例えば被覆、堆積または転写方法は、必要に応じて使用できるであろう。
【００７９】
反射層は、２種または３種以上の異なる材料を含む、例えば異なる色を有する反射粒子でできていることができるであろう。例えば、１つの領域（例えば「太陽」の形の記号の中央の円形の領域）において、反射層２３は、アルミニウム粒子を含む材料を含むことができ、一方、別の領域（例えば周囲の三角形の領域）において、層２３は、銅粒子を含む材料を含むことができる。代わりにまたはさらに、粒子が分散していることができるバインダーは、異なる領域において、例えば、着色料など異なる光学的に有効な物質を含んで異なることができる。異なる材料は、層２３内にパターンを表示するように並べられることができる。これらなどの態様は、第１の材料（例えば、印刷によって）を置き、続いて一致した第２の材料を置くことによって、行うことができるであろう。
【００８０】
任意選択的に、層２３を形成するために使用される反射材料は、硬化剤（ｃｕｒｉｎｇ  ａｇｅｎｔ）または硬化剤（ｈａｒｄｅｎｅｉｎｇ  ａｇｅｎｔ）、例えばＵＶ硬化剤を含むことができ、その場合一旦層が適用されると、材料の部分的な（不完全）硬化ために、適当な放射または別の刺激（例えば熱）に曝されることができる。すなわち、材料の粘度は増加するであろうが、材料は形成できるままであろう。これは、反射層の位置を固定し、そして第１のレリーフ構造２２を保護することを助けるが、一方、第２のレリーフ構造２６の後での形成を可能にする。しかし、層２３の反射特性は、照射硬化技術を本来的に非効率的にする場合があり、したがって、代替の硬化剤、例えば熱活性化剤が好ましい場合がある。
【００８１】
ステップＳ１０３において、第２のレリーフ構造２６は、反射増強体２３の第２の側中に、例えば熱および圧力下で従来のエンボス加工プロセスを使用して、形成されることができる。上に記載したように、第２のレリーフ構造２６が第１のレリーフ構造２２と異なることが好ましいがこれは必須ではない。第２のレリーフ構造２６は、設計の要求によって第１のレリーフ構造２２と一致して形成されることができ、または形成されることができない。
【００８２】
第２のレリーフ構造２６の形成後またはその間に、反射材料２３が、硬化剤または硬化剤を含む場合、例えばＵＶを用いた照射により、第２のレリーフ構造を固定するように、層２３は充分硬化することができる。
【００８３】
図６中で四角Ｓ１０４によって表される次の処理工程は、任意選択的であり、そしてデバイスがどのように、価値のある証書または他のオブジェクトに適用され、または取り込まれるかに依存する。好ましい例において、図５中に具体的に説明されたように、光学的に透明な接着剤２８は、保護される証書または他のオブジェクトの表面への続く接着のためにデバイスの上に適用される。好適な透明接着剤は、構成部分、例えばウレタン、メタクリレートおよびカルボキシ官能性ターポリマー（例えば、ＵＣＡＲ（商標）ＶＭＣＨおよびＶＭＣＡ）を含むことができる。国際公開第２００８/１３５１７４号パンフレットはまた、透明接着剤を開示する。他の例において、接着剤２８を全て省略すること、またはデバイス隣接した第１の透明層２１に隣接したデバイスの反対側上、またはデバイスの両側上に提供されることができる。
【００８４】
図７は、図５に関連して上記と同じ様式でセキュリティー証書１５に適用された、本発明によるセキュリティーデバイス３０の第２の態様を記載する。デバイス３０の構成部分は、図５に関連して上記に記載したものに相当し、したがってここでは、その詳細はここでは再度手短に記載する。
【００８５】
第１のレリーフ構造３２は、上に記載したのと同様の様式で、透明層３１中に形成される。再度、反射増強体３５は、その全領域未満を覆うデバイスの領域中に提供される。この例において、上記のように、反射増強領域３５は、太陽の形の記号の形をとる。上記のように、反射増強体の第１の側３５は、第１のレリーフ構造３２にならっており、そしてそれを可視としている。第２の光学的可変効果を生成するレリーフ構造３６は、反射増強体の第２の側３５ｂ中に形成され、第２の光学的可変効果を生じる。
【００８６】
しかし、この場合、反射増強体３５は、２つの反射増強層でできている。第１の反射増強層３３は、上記の層２３の場合、反射粒子を含む層である。第２の反射増強層３４は、この例において、金属層（すなわち、アルミニウムまたは銅などの（単数または複数の）金属のみからなる層）である。この態様において、第２の反射増強層３４は、反射増強体３５の第１の表面３５ａを形成し、したがって第１のレリーフ構造３２にならい、それを可視にしている。反射粒子を含む第１の反射増強層３３は、片側上の金属層３４と接触しており、そしてそのもう一方の表面は、第２のレリーフ構造３６を有し、その反射特性によりその光学可変効果を可視にしている。この例の場合、２つの反射増強層３３および３４は、好ましくは異なる組成を有し、第２の反射増強層３４は、好ましくは反射粒子の分散体を含まないが、むしろ、与えられた例において、レリーフ構造にならった反射層の形態、例えば金属層をとる。このように、光学的可変効果を生成するレリーフ構造のそれぞれは、異なる反射特徴を有するであろう。例えば、この態様において、金属層３４は、反射粒子層３３により達成されるレリーフ構造３６からのホログラフィック再生より、明るいレリーフ構造３２から再生されるホログラフィック再生を生じるであろう。この外観における相違は、比較的微妙である場合があるが、経験を有する取扱者によって、追加の真贋検査として使用できる。レリーフ構造３２および３６によって生成された光学的可変効果のみがデバイスの正確に同じ領域において可視で表示されるように、第１の反射層および第２の反射層は、好ましくは相互に同じ横方向の大きさを有する。したがって、この例において、両方の反射層３３および３４は、同じ寸法および同じ位置で、正確に太陽の形の記号を画定する。
【００８７】
代わりの例において、第２の反射増強層３４は、光学干渉薄膜構造；金属性粒子を含む層、光学的に変化できる粒子または光学的に変化できる磁性粒子；フォトニック結晶層；または液晶層を含むことができるであろう。そうした材料は、レリーフ構造によって生成された視覚効果の上に重ね合わせられて見える、追加の視覚効果、例えば異なる視角における異なる色（「色ずれ」）を示す、デバイスを提供するために使用できる。
【００８８】
図７（ｉ）は、観察者Ａの位置からのデバイス３０の外観を具体的に示す。第１のホログラフィック画像Ｈ１は、反射体３５の領域中において、第１の表面レリーフ３２によって表示され、上記に記載したのと同じ太陽の記号の形を有する。第１のレリーフ構造３２は、金属層３４によって可視で表示されるので、ホログラフィック再生は、明るく見え、そして金属層３４（例えば銀）の背景色を有する。太陽の形の領域外側では、このデバイスは透明に見える。
【００８９】
観察者Ｂの位置からのデバイス３０の外観を図７（ｉｉ）中に記載し、そしてここでは、光学的に変化できる領域は、観察者Ａの位置から見たのと正確に同じ横方向の大きさを有し、すなわち、太陽の形の記号を画定する。その領域中において、第２のホログラフィック画像Ｈ２が表示されている。ホログラフィック画像Ｈ２を画定する第２のレリーフ構造３６は、反射粒子層３３によって可視に表示されているので、その再生は、図７（ｉｉ）中に影によって示されるように、観察者Ａによって見られるホログラフィック画像Ｈ１の再生より、明るくない。しかし、この違いは、わずかである可能性がある。
【００９０】
当然のことながら、必要に応じて、第１のレリーフ構造３２にならい、そして観察者Ａに可視で表示される反射粒子層３３、およびその中に第２のレリーフ構造３６が形成される反射体３５の反対側を形成する金属層３４を有する、層３３および３４の順序は、交換できるであろう。
【００９１】
２つの反射増強層３３および３４の色は、実質的に同じ、例えば層３３がアルミニウム粒子を含み、そして層３４がアルミニウム層を含む場合、例えば銀であることができるであろう。これは、単一のデバイス、しかし、デバイスの異なる側と異なって見えるものが存在する模様を生じる。代わりに、２つの反射増強層３３および３４の色は、例えばアルミニウム粒子を含み銀色に見える層３３、および銅の層を含みしたがって銅色に見える層３４などのように異なることができる。必要に応じて、光学的に有効な物質は、着色剤などの反射粒子層３３中に、典型的には、染料または顔料の形態で取り込まれることができるであろう。通常の照明条件下で人間の目に見えるか見えない種々の異なるタイプの着色剤を使用できる。例えば、着色剤は、紫外または赤外などの選択された非可視放射波長でのみ可視または検出可能であることができるであろう。しかし、最も好ましい態様において、着色剤は、周囲の白色光の可視であり、そして層３３に着色した色合いを与える。したがって例えば観察者Ａの位置から、太陽の形の領域は、例えばアルミニウム層３４の使用により、銀色に見えることができ、一方観察者Ｂの位置から、太陽の形の領域は、着色した反射粒子層３３によりメタリックの、赤色、黄色または青色などに見えることができる。
【００９２】
図８は、例えば図７中に示されたセキュリティーデバイスを製造するための好ましい方法の選択されたステップを記載する。図８との相互参照のために、図９（ａ）〜（ｆ）は、生産の種々のステージにおいて記載された方法により製造された、本発明の第３の形態によるセキュリティーデバイスを示す。
【００９３】
第一ステップＳ２０１において、第１の光学的可変効果を生成するレリーフ構造３２は、この例において基材３９の上にある透明層３１の表面上に形成される。基材３９は、既に述べたように、第１の態様に関して、例えばセキュリティー物品の支持層またはセキュリティー証書の一体部分であることができるであろう。同様に、透明層３１およびレリーフ構造３２は、あらかじめ記載された技術のいずれかを使用して形成されることができる。
【００９４】
図９（ｂ）中に記載したようにステップＳ２０２において、金属（または他の反射層３４は、レリーフ３２に適用され、そしてその表面にならう。ある場合には例えば、金属層３４を通して次の層の色を認識するのが所望の場合、金属層３４の厚さｔ２は、半透明にするために非常に薄いことができる。金属層は、典型的には１種または２種以上の金属および／または合金で形成されており、そして必要に応じて２種または３種以上の金属は、欧州特許出願公開第１２９４５７６号明細書中に記載されているように、異なる領域のパターン中に置かれて全体として層３４を形成することができるであろう。金属層は、任意の適当な技術を使用して置かれることができるであろうが、真空蒸着が好ましい。留意すべきは、典型的には金属層３４は、透明層２１に直接適用され、したがってレリーフ構造３２が形成される要素の表面と接触しているであろうが、金属層が再度表面レリーフの輪郭に従うことができるように中間層は充分薄いという前提で、金属層３４は、その要素から中間透明層またはその同類のものによって間隔をとられていることができるであろうことである。
【００９５】
ステップＳ２０３は、上記のステップＳ１０２と同じであり、そして図９（ｄ）に示すように、金属層３４の上の表面レリーフ３２に反射粒子を含む層３３を適用することを含む。再度、反射粒子層３３は、デバイスの全領域より小さい（例えば第１の透明な領域の横方向の全大きさより小さい）画定された領域にわたって適用され、例えば上記の太陽の形の記号を形成する。層３３は、好ましくは置かれて、不連続な領域を含み、そして遮蔽機能物の形態をとることができる。好ましくは、この材料は、印刷技術、例えばグラビア印刷を使用して置かれる。１超の異なる反射粒子材料は、あらかじめ記載されたような統合パターンを有する層を形成するように使用できるであろう。
【００９６】
上記のように、層３３は、好ましくは、透明な形成可能な材料、例えば熱可塑性材料内に分散した反射粒子を含む。好適な例は、ビニル樹脂、例えばＵＣＡＲ（商標）ＶＭＣＡ  Ｓｏｌｕｔｉｏｎ  ｖｉｎｙｌ  ＲｅｓｉｎまたはＵＣＡＲ（商標）ＶＣＭＨ  Ｓｏｌｕｔｉｏｎ  ｖｉｎｙｌ  Ｒｅｓｉｎを含み、これらは両方ともＤｏｗ  Ｃｈｅｍｉｃａｌ  Ｃｏｍｐａｎｙによって供給されており、そしてビニルクロライド、ビニルアセテートおよびマレイン酸からなるカルボキシ官能性ターポリマーである。最も好ましくは、層３３を形成する材料は、エッチングレジストとして働くのに好適であり、下記で説明するように金属層３４の覆いのない領域が除去されるその後のエッチングステップの間に、層３３は金属層３４を保護する。典型的には、覆いのない金属を溶解させるかまたはさもなければ除去するエッチング液溶液中にこの構造を浸漬することによって、この除去ステップが達成されるであろう。例えば、金属層がアルミニウムである場合、水酸化ナトリウムは、エッチング液として使用できる。反射層が銅である場合、酸性エッチング液、例えば（ｉ）室温で塩酸５０％ｖおよび塩化第二鉄（４０  Ｂａｕｍｅ）５０％ｖの混合物；または（ｉｉ）４０〜６０℃で硫酸（６６Ｂａｕｍｅ）５〜１０％ｖおよび硫酸第一鉄１００ｇ/リットルの混合物が典型的には使用される。他のエッチング液、例えば硝酸をまた使用できるが、通常上記の系は、作業するのに最も都合がよい、第２の層３３（ＵＣＡＲ（商標）ＶＭＣＡおよびＵＣＡＲ（商標）ＶＭＣＨ）を形成するための上記の例示的な材料は、これらのエッチ系の両方に好適なエッチングレジストである。
【００９７】
すべての態様において、デバイスに垂直な（ｚ−軸）の方向での、反射粒子層３３（または、さらに通常、反射増強体、ここでこれはそれぞれがその厚さに著しく寄与する１超の層を含む）の厚さｔ２は、レリーフ構造３２が反対の表面の層中に自動的に複製されないように、充分であるべきである。したがって例えば、層３３がレリーフを本質的に充填しかつ平滑にするように、層３３はレリーフ構造３２の最大のプロファイル深さｄ１より大きい、好ましくはより著しく大きい厚さｔ２を有することが好ましい。厚さｔ２はまた、（下記の）層３３の反対表面中に形成される第２のレリーフ構造の最大のプロファイル深さｄ２より大きいことが好ましい。最も好ましくは、反射増強体の厚さは、少なくとも第１のレリーフ構造および第２のレリーフ構造の最大のプロファイル深さの合計（すなわち、少なくともｄ１＋ｄ２）であることが好ましい。例えば、典型的な回折レリーフ構造は約５０〜５００ｎｍ、さらに典型的には５０〜１５０ｎｍの最大のプロファイル深さを有することができ、一方、層３３は、好ましくは少なくとも０.３μｍ、さらに典型的には少なくとも１μｍの厚さを有するであろう。より大きい寸法の非回折レリーフ構造が使用される場合、層３３はそれに相当してさらに厚くなるであろう。それぞれがその厚さに大幅に貢献する１超の層で反射増強体ができている場合、この例において、これらの好ましい寸法は、反射増強体をなす複数層の全厚、例えばｔ１＋ｔ２に適用される。この類の好ましい厚さ寸法はまた、層３３が続くエッチング手順の間に下地となる金属層３４を充分に保護することを確かにすることを助ける。上記のように、任意選択的に、反射粒子層３３が一旦置かれると、例えば、ＵＶを用いた照射により、部分的に硬化されることができる。しかし、材料は形成可能のままであることが好ましい。
【００９８】
次のステップＳ２０４において、図９（ｄ）に示すように、第２の光学的可変効果を生成するレリーフ構造３６は、層３３の表面中に形成される。典型的には、これは、熱および圧力下で従来のエンボス加工プロセスによって達成される。もし必要であれば、層３３は、レリーフ３６のエンボス加工の間またはその後で硬化を受けることができる。
【００９９】
次に、ステップＳ２０５において、層３３によって被覆されていない金属層３４の領域が、典型的にはエッチングによって除去される。上記のように、層３３はエッチングレジストとして働き、したがってその範囲は金属層３４の最終の範囲を画定する。したがって、図９（ｅ）に示すように、層３３の配置（例えば、上記の太陽の形の記号）は、金属層３３中に正確に複製される。
【０１００】
留意すべきは、第２のレリーフ３６がエンボス加工される前にエッチングして、ステップＳ２０４およびＳ２０５は順番が逆であることができる。
【０１０１】
図９（ｅ）に示されたデバイスは、光学的可変効果がデバイスのそれぞれの側によって示されて、このように完成する。第１の態様の場合のように、図８中の四角Ｓ２０６によって表される続く処理ステップは、任意選択的であり、そしてデバイスが価値のある証書または他のオブジェクトにどのように適用されるか、またはどのように取り込まれるかによる。好ましい例において、図９（ｆ）中に具体的に説明されたように、光学的に透明な接着剤３８は、保護される証書または他のオブジェクトの表面へのその後の接着のためにデバイスの上に適用される。上記のように、これは省略されることができるか、または接着剤はデバイスの反対側またはデバイスの両側に適用されることができるであろう。
【０１０２】
エッチングレジストとして反射粒子層３３を使用すること、および単一の金属被覆/金属剥離工程のみによって、図８および図９に関して記載された方法は、反射増強体３５を形成する層の間に正確な配置となり、デバイスのそれぞれの側から見ることができる光学的に変化できる領域の間への正確な位置合わせとなる。これは、他の手段を使用してまねすることが極度に困難であり、したがって好ましい実施である。
【０１０３】
しかし、他の態様において、エッチングステップは、この方法から省略されることができ、そして図１０は、そうした改変された方法から生じる本発明によるセキュリティーデバイスの第４の態様を示す。この場合もやはり、デバイス３０’は、窓領域１６中の証書１５に固定され、そしてラベルされた構成部分の全ては、同じ参照番号を有する図７に関して記載されたものと同じである。この例において、金属層３４は、デバイス３０’の全領域にわたって伸び、一方、反射粒子層３３は限定された領域にわたって適用され、上記と同じ太陽の形の記号を形成する。
【０１０４】
図１０（ｉ）に示すように、デバイスを観察者Ａが見た場合、（円形の）デバイスの全体は第１のホログラフィック画像Ｈ１を再生し、そしてさらなる詳細は見えない。観察者Ｂの位置からは、図１０（ｉｉ）に記載したように、反射粒子層３３によって形成される太陽の形の領域が見え、そしてホログラフィック画像Ｈ２を示す。態様の形の記号の外側のデバイスの領域中では、金属層３４の色が見え、そして、金属層が両側上にレリーフ構造３２を複製する場合、ホログラフィック画像Ｈ１の部分はまた、太陽の形の領域の周囲に見えることができる。留意すべきは金属層３４および金属性粒子層３２の色が実質的に同じ場合、異なるホログラフィック画像Ｈ２のみが反射粒子層３３が存在する領域と、その周囲とを視覚的に区別し、太陽の形の領域の境界が容易に明らかではない場合があることである。
【０１０５】
図１０中に記載された態様において、金属層３４は半透明になるように充分に薄く形成されることが特に好ましいことができ、その場合、金属性粒子層３３によって形成された太陽の形の特徴は、観察者Ａの位置から金属層３４を通して見えるであろう。このように形成されると、比較的不透明の光学的に変化できる太陽の形の特徴の領域が、両側からデバイスの外観を特徴付け、かつその周囲が実質的に透明に見えて、デバイスの外観は、上記の態様のデバイスの外観と類似することができる。しかし、この場合は、レリーフ構造３２によって生成された光学的可変効果は、太陽の形の特徴の境界の外側で見え続けることができる。半透明な反射層は、例えば、５〜１０ｎｍの間の厚さを有するアルミニウム層として形成されることができるであろう。
【０１０６】
図５〜１０に関して記載された全ての態様において、留意すべきことに、反射増強体２３または３５の全部または一部を形成する反射粒子層２３または３３の２つの表面は、通常そうであるように、異なる輪郭にならう。一方、図は、２つのレリーフ構造３２および３６にならう反射粒子層３３のそれぞれの表面を記載し、この反射増強体は複数の層を含むが、反射増強体の種々の層の間（例えば２つの反射増強層３３および３４との間）の界面はあらゆる任意の輪郭にならうことができるので、複数の層を含む必要はない。例えば、図１１は、図８および９に関して記載された方法を使用して製造された本発明によるセキュリティーデバイスの第５の態様を示し、ここで金属層３４はレリーフ３２の溝が充填される厚さで適用されて、反射粒子層３３を有する実質的に滑らかな表面を生じる。この例において、レリーフ構造３２、３６が相互に干渉しないのに充分なように並べられることが好ましい反射体３５をなすのは２つの層の全厚ｔであり、上記に記載した考慮内容を適用する。
【０１０７】
またさらなる態様において、留意すべきは、反射増強体３５は、これまで記載した２つの反射増強層の間の中にさらなる層を取り込めることである。そうした中間層は、典型的にはデバイスの外観に貢献せず、したがって（透明なまたは不透明な）任意の色であることができ、そして反射する必要はない。１つの例では、中間磁性層は、２つの反射増強層３３および３４の間に取り込まれることができ；任意選択的に、これは、磁気読み取り機を使用して読むことができるデバイスにさらなるコード（例えば空間コード）を導入するのに使用できるであろう。代わりに、磁性材料の単なる存在は、機械によって読むことのできる特徴として使用されることができるであろう。磁性材料の存在は、反射増強層３３および３４によって、見ている人から隠されるであろう。
【０１０８】
図１２は、図８および図９に関して記載された方法を行うのに好適な装置の例を図式的に記載する。基材織物３９は、ドラム４１から提供される。基材織物４９は、図１に関して記載された層２のような支持層を構成することができ、そこからセキュリティーデバイスが究極的に取り外されるか、または最終のセキュリティーデバイス、物品または証書の一体部分を形成できるであろうし、この場合、基材３９はセキュリティーデバイスが適用される領域中において少なくとも透明、例えばＢＯＰＰなどのポリマー膜の織物であることが好ましい。基材３９は、この例において放射硬化性樹脂が基材３９上に適用されデバイスの透明層３１を構成する第１の印刷または被膜工程４２を通して運ばれる、樹脂は、パッチでまたは連続的に、膜上一面に適用されることができるであろう。透明層３１を有する基材織物３９は、次に所望のレリーフ構造３２の刻印を備えたエンボス加工ローラー４３と接触を保たされる。レリーフ構造３２は、樹脂層３１中で、好ましくは樹脂の適用されたパッチと一致し、かつ矢印Ｒによって表される適当な照射、例えばＵＶの適用によって同時に硬化して、キャスティングされる。
【０１０９】
例えば図９（ａ）中に示された形態の構造を有する基材織物３９は、次に金属被覆チャンバー４４中に搬入され、金属で形成された反射増強層３４が、例えば真空蒸着によって適用される。金属層３４は、基材織物およびそれが有するデバイス構造上の全面に適用される。次に、第２の印刷または被膜工程４５が反射粒子を含む反射増強層３３を反射増強層３４にわたって例えばグラビア印刷によって適用するように使用される。上記の様に、反射粒子層３３は、装飾的な形および／または堅牢な形、例えば証印または細線パターンを画定するように、好ましくは置かれる。層３３を生成するように使用される材料の性質によって、材料は処理を進める前に部分的な硬化を必要とすることができ、したがって適当な加熱装置または照射装置（図に示されていない）は印刷工程４５の後に提供されることができる。次に基材織物３９はエンボス加工工程４６を通して運ばれ、ここで第２のレリーフ構造３６が反射粒子層３３中に刻印される。同時にまたはその後に、材料は充分に硬化されてレリーフ構造を固定させることができる。最終的に、基材織物３９は、反射増強層３３によってマスキングされていない反射増強層３４のこれらの領域の除去のために、除去チャンバー４７、例えば、エッチング液槽を通して運ばれる。先に述べたように、好ましい場合、第２のレリーフがデバイス中にエンボス加工される前にエッチングすることができ、この場合、工程４６および４７の順番は逆となるであろう。
【０１１０】
チャンバー４７の出力側では、基材織物は、図９（ｅ）に示されたような構造を有するであろう。基材織物３９は、その例が下記に記載されているさらなる処理工程、例えば透明接着剤３８の適用、個々のセキュリティー物品への切断および／またはセキュリティー証書の中へ直接の取り込みに進むことができる。例えば、基材３９がポリマー（またはポリマー/紙複合物）紙幣の基材を形成する場合、エッチングに続いて基材は、その間に（基材織物上に既に存在していない場合）１つまたは２つ以上の隠蔽層が形成されたデバイスの回りの基材に適用されることができる、追加の印刷ステップを受けることができ、窓領域中に位置するデバイスを生じ、その後グラフィックの印刷および究極的に個々の紙幣への切断が続くことができる。
【０１１１】
図１２中に記載された装置はインライン製造プロセスの例であり、そして種々の印刷加工およびエンボス加工ステップが相互に一致して行われるという利点を提供する。例えば、上記のように、エンボス加工シリンダー４３上のレリーフ構造３２は、好ましくは印刷工程または被膜工程４２において提供される樹脂と一致しており、そして印刷/被膜工程４５において適用される反射粒子層３３とまた一致していることができる。好ましくは、工程４３および４６においてエンボス加工されるレリーフ構造は相互に一致しているであろう。相互に一致した特徴を適用することによって、それらの相対的な位置は、工程を使用して形成されるそれぞれのセキュリティーデバイス中で実質的に同一であろう。
【０１１２】
当然のことながら、レリーフ構造３２が基材織物３９の表面中に直接形成される場合、第１の印刷/被膜工程４２を省略できる。さらに、この場合は、レリーフ３２は、典型的には熱および圧力を使用して従来のエンボス加工によって形成されるであろうし、この場合エンボス加工ローラー４３は、（工程４６に似た）なんらかの照射手段のない従来のエンボス加工ニップによって置き換えることができる。しかし、ある場合には、ポリマーの基材織物３９それ自体は、一旦形成されたレリーフ構造の硬化および保持を促進するために、照射で活性化された硬化剤を含むことができるであろう。この場合は、適当な照射手段は維持されることができる。
【０１１３】
レリーフ３２が基材３９の表面中に直接形成される、本発明の第６の態様によるセキュリティーデバイスの例が図１３中に記載されている。ここで、基材３９それ自体は、透明であり、かつ第１の透明層を構成する。レリーフ構造３２、第１の反射増強層３３および第２の反射増強層３４は、それぞれ上記と同様の様式で形成される。例えば示された構造が、セキュリティー証書または他のオブジェクト（基材３９は、保護カバー層として働く）に付着する、セキュリティー物品、例えばパッチ、スレッドまたはストリップである場合、セキュリティーデバイスは、あらかじめ記載された上記と同じ様式で透明接着剤により被覆されることができるであろう。しかし、この例において基材３９は、究極的にセキュリティー証書、例えばポリマー紙幣の一体部分を形成し、したがって接着剤層は必要ない。代わりに、デバイスは保護ラッカー３７を用いて被覆されることができ、またはこの機能は、層３７を省略して、反射粒子層３３自体により達成できるであろう。
【０１１４】
セキュリティーデバイスは、上記のものに追加の層を含むことができ、好ましい場合１種または２種以上の着色剤を含むことができるであろうが、例えば、典型的には無色であろう保護ラッカー層は、デバイスのいずれかの側に適用できるであろう。セキュリティーデバイスは、１つまたは２つ以上の印刷層をさらに含むことができ：例えば、印刷された証印は、第１のレリーフに反射体を適用する前に、または第２のレリーフの形成の前または後で反射体の第２の表面に反射体を適用する前に適用できる。典型的には、そうした印刷された証印は、反射増強体が局所的に阻まれ、それによって印刷された証印によって画定された形により光学的可変効果を隠蔽する、非透明な手段であろう。これは、例えばデバイス内に文章、数または他の記号を表示するように使用できるであろう。
【０１１５】
デバイスはまた、１種または２種以上の機械で読み取れる物質、例えば磁性材料を取り込むことができるであろう。例えば、透明な磁性顔料は、任意選択的に空間コードにより、透明層の片側または両側に取り込まれることができるであろう。これはすべての態様に適用される。
【０１１６】
図１４、１５および１６は、上記の種類のセキュリティーデバイスが取り込まれたセキュリティー証書の例を記載する。図１４は、（ａ）平面図および（ｂ）ラインＸＸ’に沿った断面中の第１の例示的なセキュリティー証書、ここでは紙幣５０を示す。ここで、紙幣５０は、ａ隠蔽層５３ａおよび５３ｂのそれぞれの側上に従来の様式で被覆された内部の透明なポリマー基材５２を含むポリマー紙幣である。ある場合には、隠蔽層は、基材５２の片側上のみに提供されることができる。ここでは正方形を有する窓５１を画定するために、隠蔽層５３ａおよび５３ｂは、証書の領域中では省略される。窓領域５１内に上記の態様のいずれかによるセキュリティーデバイス３０が位置する。デバイス３０の外周は「太陽の形の」光学的可変効果領域の周囲の円形の破線によって表示されている。セキュリティーデバイス３０は、図１３中に記載したのと類似の様式で透明基材５２の表面中に直接形成されたレリーフ構造と共に、紙幣５０中で統合して形成されることができる。代わりに、セキュリティーデバイス３０は、例えば図５中に示した構造を有する、セキュリティー物品、例えば転写パッチまたはラベルとして別々に形成されることができる。この場合は、セキュリティーデバイス３０は、透明接着剤３８により窓領域５１の内側の透明基材５２に付着していることができる。適用は、熱または冷転写法、例えばホットスタンピングによって達成できる。
【０１１７】
留意すべきは、類似の構造は、隠蔽層５３ａおよび５３ｂが内部の透明なポリマー層５２に（接着剤ありまたはなしの）ラミネート加工した紙層で置き換えられた、紙/プラスチック複合物紙幣を使用して達成可能であろうことである。紙層は、最初から窓領域から省略することができ、または紙は、ラミネーション後に局所的に除去されることができるであろう。他の構造において、層の順番は、内側の（窓のある）紙層および外側の透明なポリマー層と逆になることができる。
【０１１８】
図１５において、紙幣５０は、例えば紙または他の比較的不透明のまたは半透明の材料で形成された基材５４を有する従来の構造である。窓領域５１は、基材５４を通る開口として形成される。セキュリティーデバイス３０は、透明接着剤３８を利用して窓５１の端に重ねてパッチとして適用されて証書基材５４にセキュリティー物品を接続する。この場合もやはり、セキュリティーデバイスおよび証書の適用は、ホットスタンピングを含む種々の方法を使用して達成可能であろう。
【０１１９】
図１６は、セキュリティー証書の第３の例、この場合もやはり、セキュリティースレッドまたはセキュリティーストリップの形態で、セキュリティー物品６０が適用された紙幣５０を記載する。ストリップ６０上にあるそれぞれ３つのセキュリティーデバイス３０は、窓５１を通して見え、証書５０上に一列に並べられている。証書の２種の代替の構造が、図１６（ｂ）および１６ｃ中の断面図に示されている。図１６（ｂ）は、セキュリティー証書５０内の取り込まれたセキュリティースレッドまたはストリップ６０を記載する。例えば、セキュリティースレッドまたはストリップ６０は、周知の技術を使用して紙を製造する工程の間に基材の構造中に取り込まれることができる。窓５１を形成するために、紙は、紙の製造工程の完了後に、例えば摩耗によって、局所的に除去されることができる。代わりに、紙の製造工程は、所望の窓領域中の紙を省略するように設計できるであろう。図１６（ｃ）は、セキュリティーデバイス３０を有するセキュリティースレッドまたはストリップ６０が証書基材５５の片側に、例えば接着剤を使用して適用されている、代替の配置を示す。窓５１は、基材５５中における開口の提供によって形成され、ストリップ６０の適用の前に存在することができ、または例えば摩耗によって、後で再度形成されることができる。
【０１２０】
図１４、１５および１６のそれぞれ例において、デバイス３０が同じ場所において証書のそれぞれの側から見えるように、セキュリティーデバイス３０は、証書の透明な部分を構成する証書５０の窓領域５１中に並べられている。しかし、両側のデバイスの同じ部分が観察者に見えることは必須ではない。他の場合において、デバイスの第１の側は証書上の第１の場所において見え、一方デバイスの第２の側は、証書上の異なる場所において見える。この類の例を図１７および１８を参照して以下に記載する。
【０１２１】
図１７は、図１４と同じような方法で形成されたセキュリティー証書５０の例を示す。ここで、セキュリティーデバイス３０は、証書基材５２上に被覆されたエンボス加工ラッカー７０上に直接形成されている。デバイス３０は、例えば、図１３に示されるのと類似の構造を有することができる。それぞれの隠蔽層中のギャップが重複しない（他の場合において、いくつかの重複が提供されることができる）ように、隠蔽層５３ａおよび５３ｂは、証書のそれぞれの側上で異なる範囲を有する。これは、２つの「半窓」５１ａおよび５１ｂとなる。それぞれの半窓において、デバイスの片側のみが見える。証書の正面から（図１７（ａ））、デバイス３０は、半窓５１ａを通して見えることができ、上記で記載した様式で第１のレリーフ構造によって決定される第１の光学的可変効果（例えば、ホログラフィックの「星」画像）の一部分を見せる。デバイスは、図１７（ｂ）中の破線の長方形５１ａによって表されているように、証書の反対側上の同じ場所において見えない。逆に、紙幣の反対側上では、デバイス３０は、半窓５１ｂを通して見え、そしてここで第２の光学的可変効果（例えばホログラフィックの交差する矢印記号）は、好ましくは第１のものと異なる、第２のレリーフ構造によって決定されるように見えるであろう。デバイスのこの部分は、紙幣の表側上では見えない。
【０１２２】
この例において、デバイス３０は、両方の半窓領域にわたって伸びる１つの連続なデバイスである。しかし、他の場合において、上記の原理によってそれぞれ形成された複数の別個のセキュリティーデバイスは、同じ結果となることができるであろう。
【０１２３】
図１８は、上記の図１６と類似の構造を有するセキュリティー証書５０のさらなる例を記載する。ここで、一連のセキュリティーデバイス３０は、紙の製造工程の間に証書内に取り込まれるセキュリティースレッドまたはストリップ６０上に提供される。スレッド６０のいずれかの側上に位置する証書の層５５ａおよび５５ｂは、領域中において、除去され（または代わりに紙の製造工程の間に形成されて）半窓５１ａおよび５１ｂ、および（全）窓５１を作る。紙証書のいずれかの側上に半窓を形成する例示的方法は、例えば、欧州特許出願公開第１５６７７１３号明細書および欧州特許出願公開第２２９６４６号明細書中に見出すことができる。図１８（ａ）に示すように、証書の表側からは、セキュリティーデバイスは、２つの半窓５１ａ、および窓５１から見え、第１のレリーフ構造から生じる第１の光学的可変効果を有するであろう。反対側からは（図１８（ｂ））、デバイス３０は、異なる場所、すなわち、（表側上で同じ場所を有する）半窓５１ｂおよび窓５１において見える。この視点からでは、デバイスは、第２のレリーフ構造によって決定される、第２の、好ましくは異なる、光学的可変効果を示すであろう。この例において、セキュリティーデバイス３０は、一連の別個の、同一のデバイスとして提供される。しかし、連続したデバイスは、それらの内容（例えば示されるホログラフィック画像）、色（例えば、異なる第２の透明層）および／または構造において異なることができるであろう。複数のデバイス（またはそれらのサブセット）は、図１７中の単一の連続なデバイスによって置き換えることができるであろう。
【０１２４】
上記の種類のセキュリティー証書を取り込むための多くの代替技術が知られており、そして使用できるであろう。例えば、上記のデバイス構造は、ＩＤカード、運転免許証、銀行カードおよび他のラミネート構造を含む他のタイプのセキュリティー証書の上に直接形成でき、この場合、セキュリティーデバイスは、証書の多層構造中に直接取り込まれることができるであろう。
【図１】
2016510431.tif 000004
【図２】
2016510431.tif 000005
【図３（ａ）】
2016510431.tif 000006
【図３（ｂ）】
2016510431.tif 000007
【図４】
2016510431.tif 000008
【図５】
2016510431.tif 000009
【図６】
2016510431.tif 000010
【図７】
2016510431.tif 000011
【図８】
2016510431.tif 000012
【図９（ａ）−９（ｆ）】
2016510431.tif 000013
【図１０】
2016510431.tif 000014
【図１１】
2016510431.tif 000015
【図１２】
2016510431.tif 000016
【図１３】
2016510431.tif 000017
【図１４（ａ）】
2016510431.tif 000018
【図１４（ｂ）】
2016510431.tif 000019
【図１５（ａ）】
2016510431.tif 000020
【図１５（ｂ）】
2016510431.tif 000021
【図１６（ａ）】
2016510431.tif 000022
【図１６（ｂ）】
2016510431.tif 000023
【図１６（ｃ）】
2016510431.tif 000024
【図１７（ａ）】
2016510431.tif 000025
【図１７（ｂ）】
2016510431.tif 000026
【図１７（ｃ）】
2016510431.tif 000027
【図１８（ａ）】
2016510431.tif 000028
【図１８（ｂ）】
2016510431.tif 000029
【図１８（ｃ）】
2016510431.tif 000030
【国際調査報告】
2016510431.tif 000031
2016510431.tif 000032
2016510431.tif 000033